(57)【要約】【課題】室内空間の壁付近からの冷気の進入を防ぐ。【解決手段】風向調節羽根（51）は、主吹出し開口（24a〜24d）に設けられ、該主吹出し開口（24a〜24d）から吹き出される空気の風向を上下方向に変更する。負荷検知部（91）は、室内空間（500）の負荷を検知する。暖房運転において、室内空間（500）の負荷が所定値よりも高い場合、風向調節羽根（51）は、主吹出し開口（24a〜24d）から吹き出される空気の風向を、水平状態または該水平状態よりも上吹きの状態に導く。【選択図】図５
2017067346.tif 000002
【特許請求の範囲】
【請求項１】
室内空間（500）に空気を吹き出す空気調和装置の室内ユニットであって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
上記室内空間（500）の負荷を検知する負荷検知部（91）と、
暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）と
を備えることを特徴とする空気調和装置の室内ユニット。
【請求項２】
請求項１において、
上記室内ケーシング（20）には、吸込み開口（23）が更に形成されており、
上記吸込み開口（23）から上記室内ケーシング（20）内に吸い込まれる空気の吸込み温度を検知する温度検知部（81）、
を更に備え、
上記暖房運転において上記室内空間（500）の負荷が上記所定値よりも高い場合とは、上記暖房運転における設定温度と上記吸込み温度との差が所定差よりも高い場合である
ことを特徴とする空気調和装置の室内ユニット。
【請求項３】
請求項１または２において、
上記制御部（92）は、上記暖房運転において上記室内空間（500）の負荷が上記所定値よりも高い場合、上記吹出し開口（24a〜24d）から吹き出される空気の風速を、上記暖房運転において上記室内空間（500）の負荷が上記所定値よりも低い場合に比して高くする
ことを特徴とする空気調和装置の室内ユニット。
【請求項４】
請求項３において、
上記室内ケーシング（20）には、上記吹出し開口（24a〜24d）が少なくとも１つ形成され、
上記吹出し開口（24a〜24d）に対応して、空気の流れを阻害するための気流阻害機構（50）が設けられ、
上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を制御する
ことを特徴とする空気調和装置の室内ユニット。
【請求項５】
請求項４において、
上記風向調節羽根（51）は、空気の流れを阻害する姿勢に変位可能に構成され、上記気流阻害機構（50）を兼ねている
ことを特徴とする空気調和装置の室内ユニット。
【請求項６】
請求項３から５いずれか１つにおいて、
上記室内ケーシング（20）内部に設けられ、上記吹出し開口（24a〜24d）から吹き出される空気の流れを生成する室内ファン（31）、
を更に備え、
上記制御部（92）は、上記暖房運転において上記室内空間（500）の負荷が上記所定値よりも高い場合、上記室内ファン（31）の回転数を、上記暖房運転において上記室内空間（500）の負荷が上記所定値よりも低い場合に比して高くする
ことを特徴とする空気調和装置の室内ユニット。
【請求項７】
室内空間（500）に空気を吹き出す空気調和装置の室内ユニットであって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
空気を水平方向または該水平方向よりも上方向に吹き出すための水平吹きモード、の外部からの選択操作を受け付け可能な受付部（201）と、
暖房運転において、上記受付部（201）が上記水平吹きモードを受け付けた場合、上記吹出し開口（24a〜24d）から吹き出される空気の風向が水平状態または該水平状態よりも上吹きの状態となるように、上記風向調節羽根（51）を制御する制御部（92）と
を備えることを特徴とする空気調和装置の室内ユニット。
【請求項８】
請求項７において、
上記制御部（92）は、上記受付部（201）が上記水平吹きモードを受け付けた場合、上記吹出し開口（24a〜24d）から吹き出される空気の風速を、上記受付部（201）が上記水平吹きモードを受け付けない場合に比して高くする
ことを特徴とする空気調和装置の室内ユニット。
【発明の詳細な説明】
【技術分野】
【０００１】
本発明は、室内の空調を行う空気調和装置の室内ユニットに関するものである。
【背景技術】
【０００２】
従来より、例えば特許文献１に開示されているような空気調和装置の室内ユニットが知られている。この種の室内ユニットは、天井付近に設置され、加熱され又は冷却された空気を室内空間へ吹き出す。
【先行技術文献】
【特許文献】
【０００３】
【特許文献１】特開平１−３０２０５９号公報
【発明の概要】
【発明が解決しようとする課題】
【０００４】
特許文献１では、暖房運転において外気温度と室温との差が非常に大きいような高負荷時、暖かい空気が下方向に供給されるように、風向を下吹きとする調節が行われる。しかしながら、この場合、室内ユニットの真下は暖められても、室内空間には壁付近から冷気が進入する。すると、室内空間の例えば中央部と壁付近（周辺部）との温度差は依然として大きい状態が保たれてしまう。
【０００５】
本発明は、かかる点に鑑みてなされたものであり、その目的は、室内空間の壁付近からの冷気の進入を防ぐことである。
【課題を解決するための手段】
【０００６】
第１の発明は、室内空間（500）に空気を吹き出す空気調和装置の室内ユニットであって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、上記室内空間（500）の負荷を検知する負荷検知部（91）と、暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）とを備えることを特徴とする空気調和装置の室内ユニットである。
【０００７】
ここでは、暖房運転時の室内空間（500）の負荷が所定値よりも高い場合、室内空間（500）には、水平方向または水平よりも上方向に空気が供給される。これにより、比較的暖かい空気は、冷気が室内空間（500）内に進入し易い室内空間（500）の壁付近に到達する。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【０００８】
第２の発明は、第１の発明において、上記室内ケーシング（20）には、吸込み開口（23）が更に形成されており、上記吸込み開口（23）から上記室内ケーシング（20）内に吸い込まれる空気の吸込み温度を検知する温度検知部（81）、を更に備え、上記暖房運転において上記室内空間（500）の負荷が上記所定値よりも高い場合とは、上記暖房運転における設定温度と上記吸込み温度との差が所定差よりも高い場合であることを特徴とする空気調和装置の室内ユニットである。
【０００９】
ここでは、暖房運転時の室内空間（500）の負荷は、上述のように簡単な方法によって判断される。
【００１０】
第３の発明は、第１の発明または第２の発明において、上記制御部（92）は、上記暖房運転において上記室内空間（500）の負荷が上記所定値よりも高い場合、上記吹出し開口（24a〜24d）から吹き出される空気の風速を、上記暖房運転において上記室内空間（500）の負荷が上記所定値よりも低い場合に比して高くすることを特徴とする空気調和装置の室内ユニットである。
【００１１】
これにより、比較的温かい空気は、壁付近に、より到達し易くなる。従って、壁付近から室内空間（500）への冷気の進入を、より確実に防ぐことができる。
【００１２】
第４の発明は、第３の発明において、上記室内ケーシング（20）には、上記吹出し開口（24a〜24d）が少なくとも１つ形成され、上記吹出し開口（24a〜24d）に対応して、空気の流れを阻害するための気流阻害機構（50）が設けられ、上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を制御することを特徴とする空気調和装置の室内ユニットである。
【００１３】
ここでは、暖房運転時の室内空間（500）の負荷が所定値よりも高い場合、吹出し開口（24a〜24d）の開口総面積が狭められることによって、空気の風速は高められる。
【００１４】
第５の発明は、第４の発明において、上記風向調節羽根（51）は、空気の流れを阻害する姿勢に変位可能に構成され、上記気流阻害機構（50）を兼ねていることを特徴とする空気調和装置の室内ユニットである。
【００１５】
これにより、風向調節羽根（51）とは別途気流阻害機構（50）を設けることなく、吹出し開口（24a〜24d）の開口総面積を狭めることによって空気の風速を高めることができる。
【００１６】
第６の発明は、第３の発明から第５の発明のいずれか１つにおいて、上記室内ケーシング（20）内部に設けられ、上記吹出し開口（24a〜24d）から吹き出される空気の流れを生成する室内ファン（31）、を更に備え、上記制御部（92）は、上記暖房運転において上記室内空間（500）の負荷が上記所定値よりも高い場合、上記室内ファン（31）の回転数を、上記暖房運転において上記室内空間（500）の負荷が上記所定値よりも低い場合に比して高くすることを特徴とする空気調和装置の室内ユニットである。
【００１７】
これにより、空気の風速は簡単に高められる。
【００１８】
第７の発明は、室内空間（500）に空気を吹き出す空気調和装置の室内ユニットであって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、空気を水平方向または該水平方向よりも上方向に吹き出すための水平吹きモード、の外部からの選択操作を受け付け可能な受付部（201）と、暖房運転において、上記受付部（201）が上記水平吹きモードを受け付けた場合、上記吹出し開口（24a〜24d）から吹き出される空気の風向が水平状態または該水平状態よりも上吹きの状態となるように、上記風向調節羽根（51）を制御する制御部（92）とを備えることを特徴とする空気調和装置の室内ユニットである。
【００１９】
ここでは、暖房運転において受付部（201）が水平吹きモードを受け付けた場合、室内空間（500）には、水平方向または水平よりも上方向に空気が供給される。即ち、水平吹きモードは、室内空間（500）がいわゆる高負荷状態であると在室者自身が感じた場合に、在室者の操作により受け付けられるモードである。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【００２０】
第８の発明は、第７の発明において、上記制御部（92）は、上記受付部（201）が上記水平吹きモードを受け付けた場合、上記吹出し開口（24a〜24d）から吹き出される空気の風速を、上記受付部（201）が上記水平吹きモードを受け付けない場合に比して高くすることを特徴とする空気調和装置の室内ユニットである。
【００２１】
これにより、比較的温かい空気は、壁付近に、より到達し易くなる。従って、壁付近から室内空間（500）への冷気の進入を、より確実に防ぐことができる。
【発明の効果】
【００２２】
本発明及び上記第７の発明によれば、壁付近から室内空間（500）への冷気の進入を防ぐことができる。それ故、室内空間（500）の中央部と周辺部（壁付近）における気温の差は縮小される。
【００２３】
また、上記第２の発明によれば、暖房運転時の室内空間（500）の負荷は、簡単な方法によって判断される。
【００２４】
また、上記第３の発明及び上記第８の発明によれば、壁付近から室内空間（500）への冷気の進入を、より確実に防ぐことができる。
【００２５】
また、上記第４の発明によれば、吹出し開口（24a〜24d）の開口総面積が狭められることによって、空気の風速は高められる。
【００２６】
また、上記第５の発明によれば、風向調節羽根（51）とは別途気流阻害機構（50）を設けることなく、吹出し開口（24a〜24d）の開口総面積を狭めることによって空気の風速を高めることができる。
【００２７】
また、上記第６の発明によれば、空気の風速は簡単に高められる。
【図面の簡単な説明】
【００２８】
【図１】図１は、実施形態１の室内ユニットを斜め下方から見た斜視図である。
【図２】図２は、ケーシング本体の天板を省略した室内ユニットの概略の平面図である。
【図３】図３は、図２のIII−Ｏ−III断面を示す室内ユニットの概略の断面図である。
【図４】図４は、室内ユニットの概略の下面図である。
【図５】図５は、実施形態１に係る室内制御部と当該室内制御部に接続された機器とを模式的に示すブロック図である。
【図６】図６は、水平吹き位置にある風向調節羽根を示す化粧パネルの要部の断面図である。
【図７】図７は、下吹き位置にある風向調節羽根を示す化粧パネルの要部の断面図である。
【図８】図８は、気流ブロック位置にある風向調節羽根を示す化粧パネルの要部の断面図である。
【図９】図９は、室内ユニットが行う気流ローテーションの１サイクルを示す説明図であって、各動作における室内ユニットの下面を模式的に示したものである。
【図１０】図１０は、室内ユニットが暖房運転時の気流ローテーションを行っている場合の室内の温度分布を示す室内空間の平面図である。
【図１１】図１１は、実施形態２に係る室内制御部と当該室内制御部に接続された機器とを模式的に示すブロック図である。
【発明を実施するための形態】
【００２９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３０】
≪実施形態１≫
−室内ユニットの構成−
図１に示すように、本実施形態１の室内ユニット（10）は、いわゆる天井埋込型に構成されている。この室内ユニット（10）は、図外の室外ユニットと共に空気調和装置を構成する。空気調和装置では、室内ユニット（10）と室外ユニットを連絡配管で接続することによって、冷媒が循環して冷凍サイクルを行う冷媒回路が形成されている。
【００３１】
図１〜図５に示すように、室内ユニット（10）は、ケーシング（20）（室内ケーシングに相当）と、室内ファン（31）と、室内熱交換器（32）と、ドレンパン（33）と、ベルマウス（36）と、風向調節羽根（51）と、吸込温度センサ（81）（温度検知部に相当）と、室内制御部（90）とを備えている。
【００３２】
〈ケーシング〉
ケーシング（20）は、室内空間（500）の天井（501）に設置されている。ケーシング（20）は、ケーシング本体（21）と化粧パネル（22）とによって構成されている。このケーシング（20）には、室内ファン（31）と、室内熱交換器（32）と、ドレンパン（33）と、ベルマウス（36）とが収容されている。
【００３３】
ケーシング本体（21）は、室内空間（500）の天井（501）に形成された開口に挿入されて配置されている。ケーシング本体（21）は、下面が開口する概ね直方体状の箱形に形成されている。このケーシング本体（21）は、概ね平板状の天板（21a）と、天板（21a）の周縁部から下方に延びる側板（21b）とを有している。
【００３４】
〈室内ファン〉
図３に示すように、室内ファン（31）は、下方から吸い込んだ空気を径方向の外側に向けて吹き出す遠心送風機である。室内ファン（31）は、ケーシング本体（21）の内部中央に配置されている。室内ファン（31）は、室内ファンモータ（31a）によって駆動される。室内ファンモータ（31a）は、天板（21a）の中央部に固定されている。
【００３５】
〈ベルマウス〉
ベルマウス（36）は、室内ファン（31）の下方に配置されている。このベルマウス（36）は、ケーシング（20）へ流入した空気を室内ファン（31）へ案内するための部材である。ベルマウス（36）は、ドレンパン（33）と共に、ケーシング（20）の内部空間を、室内ファン（31）の吸い込み側に位置する一次空間（21c）と、室内ファン（31）の吹き出し側に位置する二次空間（21d）とに仕切っている。
【００３６】
〈室内熱交換器〉
室内熱交換器（32）は、いわゆるクロスフィン型のフィン・アンド・チューブ熱交換器である。図２に示すように、室内熱交換器（32）は、平面視でロ字状に形成され、室内ファン（31）の周囲を囲むように配置されている。つまり、室内熱交換器（32）は、二次空間（21d）に配置されている。室内熱交換器（32）は、その内側から外側へ向かって通過する空気を、冷媒回路の冷媒と熱交換させる。
【００３７】
〈ドレンパン〉
ドレンパン（33）は、いわゆる発泡スチロール製の部材である。図３に示すように、ドレンパン（33）は、ケーシング本体（21）の下端を塞ぐように配置されている。ドレンパン（33）の上面には、室内熱交換器（32）の下端に沿った水受溝（33b）が形成されている。水受溝（33b）には、室内熱交換器（32）の下端部が入り込んでいる。水受溝（33b）は、室内熱交換器（32）において生成したドレン水を受け止める。
【００３８】
図２に示すように、ドレンパン（33）には、主吹出し通路（34a〜34d）と副吹出し通路（35a〜35d）とが四つずつ形成されている。主吹出し通路（34a〜34d）及び副吹出し通路（35a〜35d）は、室内熱交換器（32）を通過した空気が流れる通路であって、ドレンパン（33）を上下方向に貫通している。主吹出し通路（34a〜34d）は、断面が細長い長方形状の貫通孔である。主吹出し通路（34a〜34d）は、ケーシング本体（21）の四つの辺のそれぞれに沿って一つずつ配置されている。副吹出し通路（35a〜35d）は、断面がやや湾曲した矩形状の貫通孔である。副吹出し通路（35a〜35d）は、ケーシング本体（21）の四つの角部のそれぞれに一つずつ配置されている。つまり、ドレンパン（33）では、その周縁に沿って、主吹出し通路（34a〜34d）と副吹出し通路（35a〜35d）とが交互に配置されている。
【００３９】
〈化粧パネル〉
化粧パネル（22）は、四角い厚板状に形成された樹脂製の部材である。化粧パネル（22）の下部は、ケーシング本体（21）の天板（21a）よりも一回り大きな正方形状に形成されている。この化粧パネル（22）は、ケーシング本体（21）の下面を覆うように配置されている。また、化粧パネル（22）の下面は、ケーシング（20）の下面を構成し、室内空間（500）に露出している。
【００４０】
図３及び図４に示すように、化粧パネル（22）の中央部には、正方形状の一つの吸込口（23）（吸込み開口に相当）が形成されている。吸込口（23）は、化粧パネル（22）を上下に貫通し、ケーシング（20）内部の一次空間（21c）に連通する。ケーシング（20）へ吸い込まれる空気は、吸込口（23）を通って一次空間（21c）へ流入する。吸込口（23）には、格子状の吸込グリル（41）が設けられている。また、吸込グリル（41）の上方には、吸込フィルタ（42）が配置されている。
【００４１】
化粧パネル（22）には、概ね四角い輪状の吹出口（26）が、吸込口（23）を囲むように形成されている。図４に示すように、吹出口（26）は、四つの主吹出し開口（24a〜24d）（吹出し開口に相当）と、四つの副吹出し開口（25a〜25d）とに区分されている。
【００４２】
主吹出し開口（24a〜24d）は、主吹出し通路（34a〜34d）の断面形状に対応した細長い開口である。主吹出し開口（24a〜24d）は、化粧パネル（22）の四つの辺のそれぞれに沿って一つずつ配置されている。
【００４３】
化粧パネル（22）の主吹出し開口（24a〜24d）は、ドレンパン（33）の主吹出し通路（34a〜34d）と一対一に対応している。各主吹出し開口（24a〜24d）は、対応する主吹出し通路（34a〜34d）と連通する。つまり、第１主吹出し開口（24a）は第１主吹出し通路（34a）と、第２主吹出し開口（24b）は第２主吹出し通路（34b）と、第３主吹出し開口（24c）は第３主吹出し通路（34c）と、第４主吹出し開口（24d）は第４主吹出し通路（34d）と、それぞれ連通する。
【００４４】
副吹出し開口（25a〜25d）は、１／４円弧状の開口である。副吹出し開口（25a〜25d）は、化粧パネル（22）の四つの角部のそれぞれに一つずつ配置されている。化粧パネル（22）の副吹出し開口（25a〜25d）は、ドレンパン（33）の副吹出し通路（35a〜35d）と一対一に対応している。各副吹出し開口（25a〜25d）は、対応する副吹出し通路（35a〜35d）と連通する。つまり、第１副吹出し開口（25a）は第１副吹出し通路（35a）と、第２副吹出し開口（25b）は第２副吹出し通路（35b）と、第３副吹出し開口（25c）は第３副吹出し通路（35c）と、第４副吹出し開口（25d）は第４副吹出し通路（35d）と、それぞれ連通する。
【００４５】
〈風向調節羽根〉
図４に示すように各主吹出し開口（24a〜24d）には、風向調節羽根（51）が設けられている。風向調節羽根（51）は、吹出し気流の方向（即ち、主吹出し開口（24a〜24d）から吹き出される空気の風向）を調節するための部材である。
【００４６】
風向調節羽根（51）は、吹出し気流の方向を上下方向に変更する。つまり、風向調節羽根（51）は、吹出し気流の方向と水平方向のなす角度が変化するように、吹出し気流の方向を変化させる。
【００４７】
風向調節羽根（51）は、化粧パネル（22）の主吹出し開口（24a〜24d）の長手方向の一端から他端に亘って延びる細長い板状に形成されている。図３に示すように、風向調節羽根（51）は、その長手方向に延びる中心軸（53）まわりに回動自在となるように、支持部材（52）に支持されている。風向調節羽根（51）は、その横断面（長手方向と直交する断面）の形状が揺動運動の中心軸（53）から遠ざかる方向に凸となるように湾曲している。
【００４８】
図４に示すように、各風向調節羽根（51）には、駆動モータ（54）が連結されている。風向調節羽根（51）は、駆動モータ（54）によって駆動され、中心軸（53）まわりに所定の角度範囲で回転移動する。また、詳しくは後述するが、風向調節羽根（51）は、主吹出し開口（24a〜24d）を通過する空気の流れを妨げる気流ブロック位置に変位可能となっており、主吹出し開口（24a〜24d）の吹出し気流を阻害する気流阻害機構（50）を兼ねている。
【００４９】
〈吸込温度センサ〉
図３に示すように、吸込温度センサ（81）は、吸込口（23）付近に設けられている。吸込温度センサ（81）は、吸込口（23）からケーシング本体（21）内に吸い込まれる空気の吸い込み温度をセンシングする。
【００５０】
〈室内制御部〉
室内制御部（90）は、メモリ及びＣＰＵによって構成されており、室内ユニット（10）の動作を制御する。図５に示すように、室内制御部（90）は、吸込温度センサ（81）と、各風向調節羽根（51）の駆動モータ（54）と、室内ファン（31）の室内ファンモータ（31a）と接続されている。室内制御部（90）は、メモリに格納されている各種プログラムをＣＰＵが読み出して実行することにより、負荷検知部（91）及びモータ制御部（92）（制御部に相当）として機能する。モータ制御部（92）には、各駆動モータ（54）を制御して各主吹出し開口（24a〜24d）から吹き出される空気の風向を制御する風向制御部（93）と、室内ファンモータ（31a）を制御する回転数制御部（94）とが含まれる。
【００５１】
負荷検知部（91）は、吸込温度センサ（81）の検知結果である空気の吸込み温度を用いて、室内空間（500）の負荷を検知する。特に、負荷検知部（91）による室内空間（500）の負荷の検知動作は、暖房運転時に行われる。具体的に、負荷検知部（91）は、暖房運転時における室内空間（500）の設定温度と吸込温度センサ（81）の検知結果（吸込み温度）との差により、室内空間（500）の負荷を検知する。当該差が大きい程、暖房運転時における室内空間（500）の負荷は大きいと検知され、当該差が小さい程、暖房運転時における室内空間（500）の負荷は小さいと検知される。そこで、負荷検知部（91）は、当該差が所定差よりも高い場合には、室内空間（500）の負荷が所定値よりも高い高負荷状態であると検知する。逆に、負荷検知部（91）は、当該差が所定差よりも低い場合には、室内空間（500）の負荷が所定値よりも低い低負荷状態であると検知する。
【００５２】
なお、本実施形態１に言う暖房運転には、圧縮機（図示せず）及び室内ファン（31）の運転により、暖められた空気が室内空間（500）に供給される場合の他、室内ファン（31）は運転を継続しているものの圧縮機が一時的に停止する場合（即ちサーキュレーション運転）も含むものとする。
【００５３】
風向制御部（93）は、各駆動モータ（54）を作動させることによって各風向調節羽根（51）の位置を個別に制御する。風向制御部（93）の制御の詳細については、“−風向制御部の制御動作−”にて述べる。
【００５４】
回転数制御部（94）は、室内ファンモータ（31a）の制御により、室内ファン（31）の回転速度を制御する。
【００５５】
−室内ユニット内における空気の流れ−
室内ユニット（10）の運転中には、室内ファン（31）が回転する。室内ファン（31）が回転すると、室内空間（500）の室内空気が、吸込口（23）を通ってケーシング（20）内の一次空間（21c）へ流入する。一次空間（21c）へ流入した空気は、室内ファン（31）に吸い込まれ、二次空間（21d）へ吹き出される。
【００５６】
二次空間（21d）へ流入した空気は、室内熱交換器（32）を通過する間に冷却され又は加熱され、その後に四つの主吹出し通路（34a〜34d）と四つの副吹出し通路（35a〜35d）へ分かれて流入する。主吹出し通路（34a〜34d）へ流入した空気は、主吹出し開口（24a〜24d）を通って室内空間（500）へ吹き出される。副吹出し通路（35a〜35d）へ流入した空気は、副吹出し開口（25a〜25d）を通って室内空間（500）へ吹き出される。
【００５７】
即ち、室内空間（500）の空気が吸込口（23）からケーシング本体（21）内に流入し、その後吹出口（26）を介して再び室内空間（500）へと吹き出される空気の流れは、室内ファン（31）によって生成される。
【００５８】
冷房運転中の室内ユニット（10）では、室内熱交換器（32）が蒸発器として機能し、空気が室内熱交換器（32）を通過する間に冷却される。一方、暖房運転中の室内ユニット（10）では、室内熱交換器（32）が凝縮器として機能し、空気が室内熱交換器（32）を通過する間に加熱される。
【００５９】
−風向調節羽根の動作−
上述したように、風向調節羽根（51）は、中心軸（53）まわりに回転移動することによって、吹出し気流の方向を変更する。風向調節羽根（51）は、図６に示す水平吹き位置と、図７に示す下吹き位置との間を移動可能となっている。また、風向調節羽根（51）は、図７に示す下吹き位置から更に回転移動することによって、図８に示す気流ブロック位置にも移動可能となっている。
【００６０】
風向調節羽根（51）の位置が図６に示す水平吹き位置になっている場合は、主吹出し通路（34a〜34d）を下向きに流れてきた空気の流れの方向が横方向に変更され、主吹出し開口（24a〜24d）の吹出し気流が水平吹き状態となる。この場合、主吹出し開口（24a〜24d）の吹出し気流の方向（即ち、主吹出し開口（24a〜24d）から吹き出される空気の風向）は、水平方向に対して例えば２５°程度に設定される。この場合、厳密に言えば吹出し気流の方向は水平方向よりも僅かに下向きとなるが、気流の方向は実質的に水平方向であると言って差し支えない。このように、吹出し気流が水平吹き状態となることで、主吹出し開口（24a〜24d）から吹き出される空気は、室内空間（500）の壁（502）に到達可能となる。
【００６１】
風向調節羽根（51）の位置が図７に示す下吹き位置になっている場合は、主吹出し通路（34a〜34d）を下向きに流れてきた空気の流れの方向が概ねそのまま維持され、主吹出し開口（24a〜24d）の吹出し気流が下吹き状態となる。この場合、吹出し気流の方向は、厳密に言えば、真下よりも吸込口（23）から離れる方向に若干傾いた斜め下方向となる。
【００６２】
風向調節羽根（51）の位置が図８に示す気流ブロック位置になっている場合は、主吹出し開口（24a〜24d）の大半が風向調節羽根（51）によって塞がれた状態になると共に、主吹出し通路（34a〜34d）を下向きに流れてきた空気の流れの方向が吸込口（23）側に変更される。この場合、主吹出し開口（24a〜24d）を通過する際の空気の圧力損失が大きくなるため、主吹出し開口（24a〜24d）を通過する空気の流量が少なくなる。また、空気は、主吹出し開口（24a〜24d）から吸込口（23）側へ向かって吹き出される。このため、主吹出し開口（24a〜24d）から吹き出された空気は、すぐに吸込口（23）へ吸い込まれることとなる。つまり、風向調節羽根（51）が気流ブロック位置となっている主吹出し開口（24a〜24d）からは、空気が室内空間（500）へ実質的に供給されない。
【００６３】
−風向制御部の制御動作−
〈暖房運転時の基本的な気流について〉
先ず、本実施形態１に係る風向制御部（93）の制御動作の本質について説明する。
【００６４】
暖房運転において、室内空間（500）の負荷が高負荷状態であると負荷検知部（91）が検知した場合、風向制御部（93）は、主吹出し開口（24a〜24d）から吹き出される空気の風向が水平状態となるように、風向調節羽根（51）を制御する（水平吹きモード）。
【００６５】
暖房運転は、例えば冬季のように外気温度が比較的低い場合に行われるが、暖房運転中に室内空間（500）の壁付近から冷気が室内空間（500）内部へと進入してくる場合がある。室内空間（500）が高負荷状態であれば、この現象は顕著に生じていることになる。これに対し、本実施形態１では、暖房運転時に室内空間（500）が高負荷状態であれば、主吹出し開口（24a〜24d）から吹き出される空気を、風向調節羽根（51）によって水平方向に導く。これにより、主吹出し開口（24a〜24d）から吹き出された比較的暖かい空気は、室内空間（500）の壁（502）に到達し、壁（502）に沿って下方へと流れる。従って、室内空間（500）の壁（502）は空気によって暖められ、室内空間（500）の壁（502）の温度は上昇する。壁（502）に到達した空気は、壁（502）から室内空間（500）に進入してくる冷気の流れを遮断する。従って、室内空間（500）の中央部と周辺部（壁付近）における気温の差は縮小される。
【００６６】
更に、本実施形態１では、暖房運転において室内空間（500）が高負荷状態であると判断した場合（即ち、水平吹きモード時）、主吹出し開口（24a〜24d）から吹き出される空気の風速を、暖房運転において室内空間（500）が低負荷状態である場合（通常吹きモード）よりも高くする制御も行われる。
【００６７】
空気の風速を高くする方法としては、以下の（Ｉ）〜（ＩＩＩ）が挙げられる。
（Ｉ）風向制御部（93）は、４つの風向調節羽根（51）のうち任意の風向調節羽根（51）を、図８で示した気流ブロック位置にする。
（ＩＩ）回転数制御部（94）は、室内ファン（31）の回転数を、室内空間（500）が低負荷状態である場合よりも高くする制御を行う。
（ＩＩＩ）風向制御部（93）は、任意の風向調節羽根（51）を図８の気流ブロック位置にさせ、且つ、回転数制御部（94）は、室内ファン（31）の回転数を、室内空間（500）が低負荷状態である場合よりも高くする。
【００６８】
上記（Ｉ）の方法では、例えば１つの主吹出し開口（24a）の風向調節羽根（51）を気流ブロック位置とし、残りの主吹出し開口（24b〜24d）の風向調節羽根（51）を水平吹き状態（水平吹き位置）に設定する。つまり、（Ｉ）の方法では、主吹出し開口（24a〜24d）の開口総面積が、暖房運転において室内空間（500）が低負荷状態である場合に比して小さくなると言える。この場合、主吹出し開口（24a）から室内空間（500）へは、空気の吹き出しが実質的になされない。しかし、残りの主吹出し開口（24b〜24d）から室内空間（500）には、全ての主吹出し開口（24a〜24d）から空気が吹き出される場合よりも風速の高い空気が、概ね水平方向に吹き出されることになる。
【００６９】
上記（ＩＩ）の方法では、室内ファン（31）の回転数が高められる。そのため、水平吹き位置に設定されている主吹出し開口（24a〜24d）からは、風速が高められた空気が概ね水平方向に吹き出されることは、言うまでもない。
【００７０】
上記（ＩＩＩ）の方法は、（Ｉ）の方法及び（ＩＩ）の方法が共に採用された場合を表している。この場合、水平吹き位置を採る風向調節羽根（51）が設けられた主吹出し開口（24a〜24d）からは、上記（Ｉ）及び（ＩＩ）よりも風速が高められた空気が、水平方向に吹き出される。
【００７１】
上記（Ｉ）〜（ＩＩＩ）のいずれかの方法によって空気の風速が高められることにより、比較的暖かい空気は、室内空間（500）の壁付近に確実に到達する。従って、室内空間（500）の壁（502）は、風速が高められない場合（即ち、通常吹きモード）に比してより確実に暖められ、壁（502）から室内空間（500）に進入してくる冷気の流れは、より確実に遮断される。
【００７２】
なお、暖房運転において、室内空間（500）の負荷が低負荷状態である通常吹きモードの場合、以下の気流ローテーションにて述べる通常吹出し動作が行われても良い。また、通常吹きモードでは、風向調節羽根（51）が水平吹き位置を採ることで空気の風向が水平状態となるが、風速は水平吹きモードよりも低い制御が行われてもよい。
【００７３】
〈暖房運転時の気流の応用例：気流ローテーションについて〉
次に、上述した水平吹きモードを利用した応用例について述べる。
【００７４】
応用例では、室内ユニット（10）が後述する通常吹出し動作、第１吹出し動作、及び第２吹出し動作を実行できるように、風向制御部（93）は、風向調節羽根（51）の位置を制御する。更に、風向制御部（93）は、室内ユニット（10）が図９に示す気流ローテーションを行うように、各主吹出し開口（24a〜24d）に設けられた風向調節羽根（51）の位置を変更する制御を行う。図９では、気流ローテーションの一つのサイクルにおいて、一回目の通常吹出し動作、第１吹出し動作、二回目の通常吹出し動作、第２吹出し動作が順に行われる。つまり、気流ローテーションの一つのサイクルでは、二回の通常吹出し動作と、一回の第１吹出し動作と、一回の第２吹出し動作とが行われる。
【００７５】
なお、気流ローテーション中、室内ファン（31）の回転速度は実質的に一定に保たれているとする。また、気流ローテーション中、風速を高める方法として、上記（Ｉ）が採用された場合を例に取る。
【００７６】
なお、以下では、説明の便宜上、図１、図４及び図９に示すように、化粧パネル（22）の互いに対向する二つの辺に沿った第２主吹出し開口（24b）及び第４主吹出し開口（24d）を「第１開口（24X）」、残りの第１主吹出し開口（24a）及び第３主吹出し開口（24c）を「第２開口（24Y）」と言う。
【００７７】
暖房運転時の通常吹出し動作において、風向制御部（93）は、全ての主吹出し開口（24a〜24d）の風向調節羽根（51）を、下吹き位置に設定する。このため、暖房運転時の通常吹出し動作では、四つの主吹出し開口（24a〜24d）から空気が下向きに吹き出される。
【００７８】
暖房運転時の第１吹出し動作において、風向制御部（93）は、第１開口（24X）を構成する二つの主吹出し開口（24b,24d）の風向調節羽根（51）を水平吹き位置に設定し、第２開口（24Y）を構成する二つの主吹出し開口（24a,24c）の風向調節羽根（51）を気流ブロック位置に設定する。このため、空気は、第２主吹出し開口（24b）及び第４主吹出し開口（24d）から室内空間（500）へ吹き出され、第１主吹出し開口（24a）及び第３主吹出し開口（24c）からは室内空間（500）へ実質的に吹き出されない。また、第２主吹出し開口（24b）及び第４主吹出し開口（24d）の吹出し風速は、通常吹出し動作における吹出し風速よりも高くなる。つまり、第１吹出し動作では、第２主吹出し開口（24b）及び第４主吹出し開口（24d）から、空気が、通常吹出し動作中よりも高い流速で、実質的に水平方向へ向かって吹き出される。
【００７９】
暖房運転時の第２吹出し動作において、風向制御部（93）は、第２開口（24Y）を構成する二つの主吹出し開口（24a,24c）の風向調節羽根（51）を水平吹き位置に設定し、第１開口（24X）を構成する二つの主吹出し開口（24b,24d）の風向調節羽根（51）を気流ブロック位置に設定する。このため、空気は、第１主吹出し開口（24a）及び第３主吹出し開口（24c）から室内空間（500）へ吹き出され、第２主吹出し開口（24b）及び第４主吹出し開口（24d）からは室内空間（500）へ実質的に吹き出されない。また、第１主吹出し開口（24a）及び第３主吹出し開口（24c）の吹出し風速は、通常吹出し動作における吹出し風速よりも高くなる。つまり、第２吹出し動作では、二つの第１主吹出し開口（24a）及び第３主吹出し開口（24c）から、調和空気が、通常吹出し動作中よりも高い流速で、実質的に水平方向へ向かって吹き出される。
【００８０】
なお、通常吹出し動作、第１吹出し動作、及び第２吹出し動作の何れにおいても、副吹出し開口（25a〜25d）からは空気が吹き出される。
【００８１】
また、図９に示す暖房運転時の気流ローテーションの一つのサイクルでは、一回目の通常吹出し動作の継続時間、第１吹出し動作の継続時間、二回目の通常吹出し動作の継続時間、及び第２吹出し動作の継続時間のそれぞれが、互いに同じ時間（例えば、１２０秒）に設定される。
【００８２】
〈暖房運転時の室内空間の温度分布〉
暖房運転時の室内空間（500）の温度分布について、図１０を参照しながら説明する。
【００８３】
図１０は、室内ユニット（10）の暖房運転中における室内空間（500）の温度分布のシミュレーション結果を示している。図１０は、室内ユニット（10）が暖房運転を開始してから２０分後の、室内空間（500）の床面から６０ｃｍの位置における気温を示している。また、図１０では、ハッチングの密度が高い領域ほど気温が高い。
【００８４】
なお、シミュレーションの対象となる部屋は、床面が概ね正方形状であり、中央にパーティション（510）が設けられた細長い二つのデスク（511）が平行に配置されている。また、室内ユニット（10）は、室内空間（500）の天井の概ね中央に配置されている。
【００８５】
まず、室内空間（500）に従来の室内ユニット（610）が設置されている場合の、室内空間（500）の温度分布について、図１０の(ａ)を参照しながら説明する。
【００８６】
暖房運転時において、従来の室内ユニット（610）では、全ての主吹出し開口（24a〜24d）の風向調節羽根（51）が下吹き位置に設定される。そして、従来の室内ユニット（610）は、室内熱交換器（32）を通過する際に加熱された空気を、全ての主吹出し開口（24a〜24d）から実質的に床面に向かって吹き出す。
【００８７】
図１０の(ａ)に示すように、室内空間（500）では、室内ユニット（610）の下方に位置する中央部の領域において、気温が非常に高くなっている。これは、室内ユニット（610）から下向きに吹き出された暖かい調和空気が、二つのパーティション（510）に挟まれた室内空間（500）の中央部の領域に滞留するからだと推定される。
【００８８】
一方、室内空間（500）では、室内ユニット（610）から離れた周辺部の領域において、気温が充分に上昇していない。これは、室内ユニット（610）から下向きに吹き出された暖かい調和空気が、パーティション（510）よりも壁（502）側の領域に到達できないからだと推定される。
【００８９】
次に、室内空間（500）に本実施形態１の室内ユニット（10）が設置されており、上述した応用例である気流ローテーションが行われる場合の室内空間（500）の温度分布について、図１０の(ｂ)を参照しながら説明する。
【００９０】
通常吹出し動作では、室内ユニット（10）から下向きに吹き出された暖かい調和空気が、二つのパーティション（510）に挟まれた室内空間（500）の中央部の領域に供給される。このため、室内空間（500）では、室内ユニット（10）の下方に位置する中央部の領域において、気温が上昇する。ただし、通常吹出し動作が間欠的に行われるため、室内空間（500）の中央部の領域における気温が過度に上昇することは無い。
【００９１】
一方、第１吹出し動作および第２吹出し動作では、室内ユニット（10）から吹き出された暖かい調和空気が、概ね水平方向へ、通常吹出し動作中よりも高い流速で吹き出される。従って、第１吹出し動作および第２吹出し動作では、室内ユニット（10）から吹き出された暖かい調和空気が、パーティション（510）の上方を流れて室内空間（500）の壁（502）にまで到達する。このため、室内空間（500）では、室内ユニット（10）から離れた周辺部の領域においても、気温が上昇する。
【００９２】
また、第１吹出し動作および第２吹出し動作では、室内ユニット（10）から吹き出された暖かい調和空気が、室内空間（500）の壁（502）にまで到達し、壁（502）に沿って下方へと流れる。このため、室内空間（500）の壁（502）が調和空気によって暖められ、その結果、室内空間（500）の壁（502）の温度が上昇する。従って、室内空間（500）の周辺部の領域では、壁（502）が調和空気によって暖められることによっても、気温の低下が抑えられる。
【００９３】
このように、暖房運転時における上記気流ローテーションでは、従来の室内ユニット（610）が暖房運転を行う場合に比べて、室内空間（500）の中央部と周辺部における気温の差が大幅に縮小する。
【００９４】
〈冷房運転時の気流について〉
冷房運転では、風向制御部（93）は、例えば全ての主吹出し開口（24a〜24d）の風向調節羽根（51）を、水平吹き位置と下吹き位置との間で往復移動させる。これにより、主吹出し開口（24a〜24d）から吹き出される比較的冷たい空気の気流は、各風向調節羽根（51）の動作に応じて変動する。
【００９５】
−実施形態１の効果−
本実施形態１の室内ユニット（10）では、暖房運転時の室内空間（500）が高負荷状態である場合（水平吹きモード時）、室内空間（500）には、水平方向に空気が供給される。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【００９６】
また、実施形態１では、暖房運転時における室内空間（500）の負荷は、設定温度と吸込み温度との差によって判断される。即ち、暖房運転時の室内空間（500）の負荷は、簡単な方法によって判断されると言える。
【００９７】
また、本実施形態１では、暖房運転において室内空間（500）が高負荷状態である場合（水平吹きモード時）、主吹出し開口（24a〜24d）から吹き出される空気の風速を、暖房運転において室内空間（500）が低負荷状態である場合に比して高くする制御が行われる。これにより、比較的温かい空気は、壁付近に、より到達し易くなる。従って、壁付近から室内空間（500）内への冷気の進入を、より確実に防ぐことができる。
【００９８】
空気の風速を高くする手法としては、上記（Ｉ）に示したように、主吹出し開口（24a〜24d）の開口総面積が狭められることが挙げられる。この手法では、簡単に空気の風速が高められることになる。
【００９９】
上記（Ｉ）の手法は、風向調節羽根（51）が、空気の流れを阻害する姿勢に変位可能に構成されることで実現することができる。これにより、空気の流れを阻害するための機構を風向調節羽根（51）とは別途設けることなく、主吹出し開口（24a〜24d）の開口総面積を狭めることによって空気の風速を高めることができる。
【０１００】
また、空気の風速を高くする手法としては、上記（ＩＩ）に示したように、室内ファン（31）の回転数を高くすることが挙げられる。この手法でも、簡単に空気の風速が高められることになる。
【０１０１】
また、空気の風速を高くする手法として、上記（ＩＩＩ）を採用することもできる。上記（ＩＩＩ）により、更に確実に空気の風速が高められる。
【０１０２】
−実施形態１の変形例１−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転において室内空間（500）が高負荷状態である場合、主吹出し開口（24a〜24d）から吹き出される空気が、室内空間（500）の壁付近に到達するような風向を採れば良い。従って、天井設置タイプ及び壁掛けタイプでは、暖房運転において室内空間（500）が高負荷状態である場合、風向制御部（93）は、主吹出し開口（24a〜24d）から吹き出される空気を水平状態よりも上吹きの状態（例えば、風向調節羽根（51）が水平方向に対して上方向に２５°傾斜する状態）となるように、風向調節羽根（51）を制御してもよい。例えば、主吹出し開口（24a〜24d）から吹き出される空気を、コアンダ効果を利用して水平状態よりも上吹きの状態とすることが考えられる。
【０１０３】
−実施形態１の変形例２−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（90）に入力されてもよいし、当該距離を測定するためのセンサが予め室内ユニット（10）に取り付けられていても良い。
【０１０４】
−実施形態１の変形例３−
負荷検知部（91）は、室内空間（500）の負荷を検知する際、吸込温度センサ（81）の検知結果そのものを利用するのではなく、吸込温度センサ（81）の検知結果を補正した値を利用してもよい。これにより、負荷検知部（91）は、室内空間（500）の負荷を精度良く検知することができる。主吹出し開口（24a〜24d）や副吹出し開口（25a〜25d）から吹き出された空気が、室内空間（500）を循環せずに直ちに吸込口（23）からケーシング（20）内に吸い込まれる場合に有効である。
【０１０５】
−実施形態１の変形例４−
暖房運転時の室内空間（500）の負荷を検知する方法は、設定温度と吸込温度センサ（81）の検知結果とを利用した方法に限定されずとも良い。例えば、負荷検知部（91）は、暖房運転時の室内空間（500）の負荷を、吸込温度センサ（81）の検知結果と室内空間（500）の床温度との平均値を用いて検知してもよい。この場合、吸込温度センサ（81）の検知結果そのものではなく、補正後の吸込温度センサ（81）の検知結果が利用されても良い。
【０１０６】
更に、暖房運転時の室内空間（500）の負荷は、室内空間（500）の壁面負荷や床面負荷から判断されてもよい。
【０１０７】
更に、暖房運転時の室内空間（500）の負荷が検知されるタイミングとしては、所定時間間隔毎であってもよいし、室内空間（500）の利用者によってリモートコントローラを介して操作された時であってもよい。
【０１０８】
−実施形態１の変形例５−
暖房運転時の室内空間（500）の負荷の検知には、吸込温度センサ（81）に代えて、室内空間（500）に個別に設置された室内の温度検知用のセンサの検知結果、またはその補正結果が利用されてもよい。なお、個別に設置される室内の温度検知用のセンサの種類は、有線を用いた通信を行うもののみならず、無線通信を行うものであってもよい。
【０１０９】
−実施形態１の変形例６−
主吹出し開口（24a〜24d）の数は、４つに限定されず、例えば１つまたは２つであってもよい。
【０１１０】
−実施形態１の変形例７−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１１１】
−実施形態１の変形例８−
上述した暖房運転時における気流ローテーション（応用例）は、図９に限定されず、例えば通常吹出し動作と、第１吹出し動作と、第２吹出し動作とを順に繰り返し行うような動作であってもよい。
【０１１２】
−実施形態１の変形例９−
また、気流ローテーション（応用例）における第１吹出し動作および第２吹出し動作は、隣り合う二つの主吹出し開口（24a〜24d）から空気を室内空間（500）へ供給し、残りの隣り合う二つの主吹出し開口（24a〜24d）の風向調節羽根（51）を気流ブロック位置とする動作であってもよい。
【０１１３】
−実施形態１の変形例１０−
風速を高める制御は、必須ではない。また、風速を高める制御が行われる場合は、上記（Ｉ）〜（ＩＩＩ）以外の方法が採用されてもよい。
【０１１４】
従って、上記気流ローテーションにおいて、風速を高める方法として、上記（Ｉ）の方法に代えて上記（ＩＩ）または（ＩＩＩ）が採用されてもよいし、（Ｉ）〜（ＩＩＩ）以外の方法が採用されてもよい。
【０１１５】
−実施形態１の変形例１１−
気流ローテーションにおける各動作の継続時間は、互いに同じ時間（例えば、１２０秒）ではなく、異なっていても良い。
【０１１６】
−実施形態１の変形例１２−
風向を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１１７】
≪実施形態２≫
上記実施形態１では、室内空間（500）の負荷が負荷検知部（91）によって自動で検知され、その結果に応じて風向調節羽根（51）が水平吹き位置を採る場合について説明した。本実施形態２では、在室者によってリモートコントローラ（201）が操作された際に、風向調節羽根（51）が水平吹き位置を採る場合について説明する。
【０１１８】
−室内ユニットの構成−
本実施形態２に係る室内ユニット（10）は、上記実施形態１と同様、室内空間（500）に空気を吹き出すためのものである。本実施形態２に係る室内ユニット（10）は、ケーシング（20）（室内ケーシングに相当）と、室内ファン（31）と、室内熱交換器（32）と、ドレンパン（33）と、ベルマウス（36）と、風向調節羽根（51）と、室内制御部（90）と、リモートコントローラ（201）（受付部に相当）とを備えている。図１１に示すように、室内制御部（90）は、各風向調節羽根（51）の駆動モータ（54）と、室内ファン（31）の室内ファンモータ（31a）と、更にはリモートコントローラ（201）と接続されている。室内制御部（90）は、風向制御部（93）及び回転数制御部（94）を有するモータ制御部（92）（制御部に相当）として機能する。
【０１１９】
即ち、本実施形態２に係る室内ユニット（10）は、図１１から明らかなように、上記実施形態１の吸込温度センサ（81）を備えていなくてもよく、室内制御部（90）は、上記実施形態１の負荷検知部（91）としては機能しない。
【０１２０】
なお、本実施形態２のケーシング（20）、室内ファン（31）、室内熱交換器（32）、ドレンパン（33）、ベルマウス（36）及び風向調節羽根（51）は、上記実施形態１にて説明したケーシング（20）、室内ファン（31）、室内熱交換器（32）、ドレンパン（33）、ベルマウス（36）及び風向調節羽根（51）と同様である。
【０１２１】
即ち、ケーシング（20）は、ケーシング本体（21）及び化粧パネル（22）によって構成され、複数の吹出し開口（24a〜24d,25a〜25d）及び１つの吸込口（23）が形成されている。室内ファン（31）は、室内空間（500）の空気を吸込口（23）からケーシング本体（21）内に流入させ、その後吹出し開口（24a〜24d,25a〜25d）を介して再び室内空間（500）へと吹き出す空気の流れを生成する。室内熱交換器（32）は、ケーシング（20）内部に吸い込まれた空気を、冷媒との間で熱交換させる。ドレンパン（33）は、室内熱交換器（32）において生成したドレン水を受け止める。ベルマウス（36）は、ケーシング（20）へ流入した空気を室内ファン（31）へ案内する。風向調節羽根（51）は、各主吹出し開口（24a〜24d）に対応して設けられ、該主吹出し開口（24a〜24d）から吹き出される空気の風向を上下方向に変更する。
【０１２２】
“−室内ユニット内における空気の流れ−”、“−風向調節羽根の動作−”は、上記実施形態１と同様のため、詳細な説明を省略する。
【０１２３】
〈リモートコントローラ〉
リモートコントローラ（201）は、室内空間（500）の壁（502）等に取り付けられており、室内制御部（90）と有線または無線によって通信可能に室内制御部（90）に接続されている。リモートコントローラ（201）は、在室者の操作を受け付ける。即ち、在室者は、リモートコントローラ（201）を介して、空気調和装置に関する各種設定や動作指示を行うことができる。リモートコントローラ（201）は、各種設定及び動作指示を受け付けると、これを室内制御部（90）に送信する。
【０１２４】
特に、本実施形態２の室内ユニット（10）は、空気をあえて水平方向に吹き出すための水平吹きモードを有している。図示してはいないが、リモートコントローラ（201）には、水平吹きモードを選択する外部からの操作を受け付けるための水平吹きモード選択ボタン、が備えられている。水平吹きモード選択ボタンが選択されると、リモートコントローラ（201）は、水平吹きモードが選択された旨を室内制御部（90）に送信する。
【０１２５】
在室者が水平吹きモード選択ボタンを選択する場合としては、在室者が、リモートコントローラ（201）を介して暖房運転の開始指示を行ったが、室内空間（500）の壁付近が中央部に比して温度が低いと感じる場合である。即ち、在室者が水平吹きモード選択ボタンを選択する場合とは、室内空間（500）がいわゆる高負荷状態であると在室者自身が感じた場合と言える。
【０１２６】
−風向制御部の制御動作−
〈暖房運転時の基本的な気流について〉
暖房運転において、水平吹きモードが選択された旨がリモートコントローラ（201）から送信されてきた場合、本実施形態２に係る風向制御部（93）は、主吹出し開口（24a〜24d）から吹き出される空気の風向が水平状態となるように、各風向調節羽根（51）を制御する。即ち、室内空間（500）がいわゆる高負荷状態であると在室者自身が感じた場合に、風向制御部（93）は、主吹出し開口（24a〜24d）から吹き出される空気の風向が水平状態となるように、風向調節羽根（51）を水平吹き位置に設定する。
【０１２７】
また、暖房運転において水平吹きモードが選択された旨がリモートコントローラ（201）から送信されてきた場合、モータ制御部（92）は、主吹出し開口（24a〜24d）から吹き出される空気の風速を、水平吹きモードの選択をリモートコントローラ（201）が受け付けない場合（水平吹きモードが選択されていない場合。即ち、通常吹きモード時）よりも高くする制御も行う。空気の風速を高くする方法としては、以下の（Ｉ）〜（ＩＩＩ）が挙げられる。
（Ｉ）風向制御部（93）は、４つの風向調節羽根（51）のうち任意の風向調節羽根（51）を、図８で示した気流ブロック位置にする。即ち、風向制御部（93）は、主吹出し開口（24a〜24d）の開口総面積を、水平吹きモードが選択されていない場合よりも小さくする。
（ＩＩ）回転数制御部（94）は、室内ファン（31）の回転数を、水平吹きモードが選択されていない場合よりも高くする制御を行う。
（ＩＩＩ）風向制御部（93）は、任意の風向調節羽根（51）を気流ブロック位置にさせ、且つ、回転数制御部（94）は、室内ファン（31）の回転数を、水平吹きモードが選択されていない場合よりも高くする。
【０１２８】
上記（Ｉ）〜（ＩＩＩ）それぞれは、実施形態１にて説明した（Ｉ）〜（ＩＩＩ）に対応する。従って、上記（Ｉ）〜（ＩＩＩ）の詳細な説明は省略する。
【０１２９】
これにより、主吹出し開口（24a〜24d）から吹き出された比較的暖かい空気は、室内空間（500）の壁付近に確実に到達し、壁（502）に沿って下方へと流れる。従って、室内空間（500）の壁（502）は空気によって確実に暖められ、室内空間（500）の壁（502）の温度は上昇する。そして、壁（502）に到達した空気は、壁（502）から室内空間（500）に進入してくる冷気の流れを遮断する。従って、室内空間（500）の中央部と周辺部（壁付近）における気温の差は縮小される。
【０１３０】
なお、通常吹きモードでは、空気の風向は下方向であってもよい。また、通常吹きモードでは、空気の風向は水平方向であるが、風速は水平吹きモード時よりも低い制御が行われても良い。
【０１３１】
〈暖房運転時の気流の応用例〉
上述した本実施形態２に係る暖房運転時の気流の水平吹きモードにおける応用例としては、上記実施形態１にて説明した気流ローテーションが挙げられる。即ち、暖房運転において水平吹きモードが選択された場合、上記実施形態１にて説明した気流ローテーションが行われても良い。気流ローテーションに係る詳細の説明、及び、室内空間（500）の温度分布の説明については、省略する。
【０１３２】
また、“〈冷房運転時の気流について〉”も、上記実施形態１と同様であるため、説明を省略する。
【０１３３】
−実施形態２の効果−
本実施形態２の室内ユニット（10）では、暖房運転においてリモートコントローラ（201）が水平吹きモードを受け付けた場合、室内空間（500）には、水平方向に空気が供給される。水平吹きモードは、室内空間（500）がいわゆる高負荷状態であると在室者自身が感じた場合に、在室者によって選択されるモードである。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断される。そのため、壁付近から室内空間（500）への冷気の進入を防ぐことができる。それ故、室内空間（500）の中央部と周辺部（壁付近）における気温の差は縮小される。
【０１３４】
また、本実施形態２では、暖房運転においてリモートコントローラ（201）が水平吹きモードを受け付けた場合、主吹出し開口（24a〜24d）から吹き出される空気の風速を、リモートコントローラ（201）が水平吹きモードを受け付けない場合（通常吹きモード時）に比して高くする制御が行われる。これにより、比較的温かい空気は、壁付近に、より到達し易くなる。従って、壁付近から室内空間（500）内への冷気の進入を、より確実に防ぐことができる。
【０１３５】
空気の風速を高くする方法としては、上記（Ｉ）に示したように、主吹出し開口（24a〜24d）の開口総面積が狭められることが挙げられる。この方法では、簡単に空気の風速が高められることになる。
【０１３６】
（Ｉ）の方法は、風向調節羽根（51）が、空気の流れを阻害する姿勢に変位可能に構成されることで実現することができる。これにより、空気の流れを阻害するための気流阻害機構（50）を風向調節羽根（51）とは別途設けることなく、主吹出し開口（24a〜24d）の開口総面積を狭めることによって空気の風速を高めることができる。
【０１３７】
また、空気の風速を高くする方法としては、上記（ＩＩ）に示したように、室内ファン（31）の回転数を高くすることが挙げられる。この手法でも、簡単に空気の風速が高められることになる。
【０１３８】
また、空気の風速を高くする方法として、上記（ＩＩＩ）を採用することもできる。上記（ＩＩＩ）により、更に確実に空気の風速が高められる。
【０１３９】
−実施形態２の変形例１−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転において水平吹きモードが選択された場合、主吹出し開口（24a〜24d）から吹き出される空気が、室内空間（500）の壁付近に到達するような風向を採れば良い。従って、天井設置タイプ及び壁掛けタイプでは、暖房運転において水平吹きモードが選択された場合、風向制御部（93）は、主吹出し開口（24a〜24d）から吹き出される空気を水平状態よりも上吹きの状態（例えば、風向調節羽根（51）が水平方向に対して上方向に２５°傾斜する状態）となるように、風向調節羽根（51）を制御してもよい。例えば、主吹出し開口（24a〜24d）から吹き出される空気を、コアンダ効果を利用して水平状態よりも上吹きの状態とすることが考えられる。
【０１４０】
−実施形態２の変形例２−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（90）に入力されてもよいし、当該距離を測定するためのセンサが予め室内ユニット（10）に取り付けられていても良い。
【０１４１】
−実施形態２の変形例３−
主吹出し開口（24a〜24d）の数は、４つに限定されず、例えば１つまたは２つであってもよい。
【０１４２】
−実施形態２の変形例４−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１４３】
−実施形態２の変形例５−
風速を高める制御は、必須ではない。また、風速を高める制御が行われる場合は、上記（Ｉ）〜（ＩＩＩ）以外の方法が採用されてもよい。
【０１４４】
−実施形態２の変形例６−
室内ユニット（10）は、室内空間の負荷を自動で検知して水平吹き状態を採る実施形態１の態様と、在室者からの操作によって水平吹き状態を採る実施形態２の態様とを組合せた構成であってもよい。この場合、室内ユニット（10）は、室内空間（500）の負荷を自動検知して水平吹きモードを採る自動検知モードと、室内空間（500）の負荷を自動検知はせずに在室者からの操作によって水平吹きモードを採る手動モードとを備えていてもよい。
【０１４５】
この際、例えば在室者がリモートコントローラ（201）を介して自動検知モードと手動モードとを切り換えることができるように、室内ユニット（10）は構成されていることが好ましい。室内ユニット（10）は、自動検知モードが設定されている場合は実施形態１の態様を採り、手動モードが設定されている場合には実施形態２の態様を採ることができる。
【０１４６】
−実施形態２の変形例７−
風向を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１４７】
なお、気流ローテーションについての変形例は、上記実施形態１にて記載した変形例と同様である。
【産業上の利用可能性】
【０１４８】
以上説明したように、本発明は、室内空間に空気を吹き出す空気調和装置の室内ユニットについて有用である。
【符号の説明】
【０１４９】
10  室内ユニット
20  ケーシング（室内ケーシング）
24a〜24d  主吹出し開口（吹出し開口）
50  気流阻害機構
51  風向調節羽根
81  温度センサ（温度検知部）
91  負荷検知部
92  モータ制御部（制御部）
201  リモートコントローラ（受付部）
500  室内空間
【図１】
2017067346.tif 000003
【図２】
2017067346.tif 000004
【図３】
2017067346.tif 000005
【図４】
2017067346.tif 000006
【図５】
2017067346.tif 000007
【図６】
2017067346.tif 000008
【図７】
2017067346.tif 000009
【図８】
2017067346.tif 000010
【図９】
2017067346.tif 000011
【図１０】
2017067346.tif 000012
【図１１】
2017067346.tif 000013
【手続補正書】
【提出日】平成28年8月26日(2016.8.26)
【手続補正１】
【補正対象書類名】明細書
【補正対象項目名】全文
【補正方法】変更
【補正の内容】
【発明の詳細な説明】
【技術分野】
【０００１】
本発明は、室内の空調を行う空気調和装置の室内ユニットに関するものである。
【背景技術】
【０００２】
従来より、例えば特許文献１に開示されているような空気調和装置の室内ユニットが知られている。この種の室内ユニットは、天井付近に設置され、加熱され又は冷却された空気を室内空間へ吹き出す。
【先行技術文献】
【特許文献】
【０００３】
【特許文献１】特開平１−３０２０５９号公報
【発明の概要】
【発明が解決しようとする課題】
【０００４】
特許文献１では、暖房運転において外気温度と室温との差が非常に大きいような高負荷時、暖かい空気が下方向に供給されるように、風向を下吹きとする調節が行われる。しかしながら、この場合、室内ユニットの真下は暖められても、室内空間には壁付近から冷気が進入する。すると、室内空間の例えば中央部と壁付近（周辺部）との温度差は依然として大きい状態が保たれてしまう。
【０００５】
本発明は、かかる点に鑑みてなされたものであり、その目的は、室内空間の壁付近からの冷気の進入を防ぐことである。
【課題を解決するための手段】
【０００６】
第１の発明は、室内空間（500）に空気を吹き出す空気調和装置の室内ユニットであって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、上記室内空間（500）の負荷を検知する負荷検知部（91）と、暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）とを備えることを特徴とする空気調和装置の室内ユニットである。
【０００７】
ここでは、暖房運転時の室内空間（500）の負荷が所定値よりも高い場合、室内空間（500）には、水平方向または水平よりも上方向に空気が供給される。これにより、比較的暖かい空気は、冷気が室内空間（500）内に進入し易い室内空間（500）の壁付近に到達する。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【０００８】
第２の発明は、第１の発明において、上記室内ケーシング（20）には、吸込み開口（23）が更に形成されており、上記吸込み開口（23）から上記室内ケーシング（20）内に吸い込まれる空気の吸込み温度を検知する温度検知部（81）、を更に備え、上記暖房運転において上記室内空間（500）の負荷が上記所定値よりも高い場合とは、上記暖房運転における設定温度と上記吸込み温度との差が所定差よりも高い場合であることを特徴とする空気調和装置の室内ユニットである。
【０００９】
ここでは、暖房運転時の室内空間（500）の負荷は、上述のように簡単な方法によって判断される。
【００１０】
第３の発明は、第１の発明または第２の発明において、上記制御部（92）は、上記暖房運転において上記室内空間（500）の負荷が上記所定値よりも高い場合、上記吹出し開口（24a〜24d）から吹き出される空気の風速を、上記暖房運転において上記室内空間（500）の負荷が上記所定値よりも低い場合に比して高くすることを特徴とする空気調和装置の室内ユニットである。
【００１１】
これにより、比較的温かい空気は、壁付近に、より到達し易くなる。従って、壁付近から室内空間（500）への冷気の進入を、より確実に防ぐことができる。
【００１２】
第４の発明は、第３の発明において、上記室内ケーシング（20）には、上記吹出し開口（24a〜24d）が少なくとも１つ形成され、上記吹出し開口（24a〜24d）に対応して、空気の流れを阻害するための気流阻害機構（50）が設けられ、上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を制御することを特徴とする空気調和装置の室内ユニットである。
【００１３】
ここでは、暖房運転時の室内空間（500）の負荷が所定値よりも高い場合、吹出し開口（24a〜24d）の開口総面積が狭められることによって、空気の風速は高められる。
【００１４】
第５の発明は、第４の発明において、上記風向調節羽根（51）は、空気の流れを阻害する姿勢に変位可能に構成され、上記気流阻害機構（50）を兼ねていることを特徴とする空気調和装置の室内ユニットである。
【００１５】
これにより、風向調節羽根（51）とは別途気流阻害機構（50）を設けることなく、吹出し開口（24a〜24d）の開口総面積を狭めることによって空気の風速を高めることができる。
【００１６】
第６の発明は、第３の発明から第５の発明のいずれか１つにおいて、上記室内ケーシング（20）内部に設けられ、上記吹出し開口（24a〜24d）から吹き出される空気の流れを生成する室内ファン（31）、を更に備え、上記制御部（92）は、上記暖房運転において上記室内空間（500）の負荷が上記所定値よりも高い場合、上記室内ファン（31）の回転速度を、上記暖房運転において上記室内空間（500）の負荷が上記所定値よりも低い場合に比して高くすることを特徴とする空気調和装置の室内ユニットである。
【００１７】
これにより、空気の風速は簡単に高められる。
【００１８】
第７の発明は、室内空間（500）に空気を吹き出す空気調和装置の室内ユニットであって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、空気を水平方向または該水平方向よりも上方向に吹き出すための水平吹きモード、をユーザが選択するための操作を受け付け可能な受付部（201）と、暖房運転において、上記受付部（201）が上記水平吹きモードを受け付けた場合、上記吹出し開口（24a〜24d）から吹き出される空気の風向が水平状態または該水平状態よりも上吹きの状態となるように、上記風向調節羽根（51）を制御する制御部（92）とを備えることを特徴とする空気調和装置の室内ユニットである。
【００１９】
ここでは、暖房運転において受付部（201）が水平吹きモードを受け付けた場合、室内空間（500）には、水平方向または水平よりも上方向に空気が供給される。即ち、水平吹きモードは、室内空間（500）がいわゆる高負荷状態であると在室者（ユーザ）自身が感じた場合に、在室者の操作により受け付けられるモードである。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【００２０】
第８の発明は、第７の発明において、上記制御部（92）は、上記受付部（201）が上記水平吹きモードを受け付けた場合、上記吹出し開口（24a〜24d）から吹き出される空気の風速を、上記受付部（201）が上記水平吹きモードを受け付けない場合に比して高くすることを特徴とする空気調和装置の室内ユニットである。
【００２１】
これにより、比較的温かい空気は、壁付近に、より到達し易くなる。従って、壁付近から室内空間（500）への冷気の進入を、より確実に防ぐことができる。
【発明の効果】
【００２２】
本発明及び上記第７の発明によれば、壁付近から室内空間（500）への冷気の進入を防ぐことができる。それ故、室内空間（500）の中央部と周辺部（壁付近）における気温の差は縮小される。
【００２３】
また、上記第２の発明によれば、暖房運転時の室内空間（500）の負荷は、簡単な方法によって判断される。
【００２４】
また、上記第３の発明及び上記第８の発明によれば、壁付近から室内空間（500）への冷気の進入を、より確実に防ぐことができる。
【００２５】
また、上記第４の発明によれば、吹出し開口（24a〜24d）の開口総面積が狭められることによって、空気の風速は高められる。
【００２６】
また、上記第５の発明によれば、風向調節羽根（51）とは別途気流阻害機構（50）を設けることなく、吹出し開口（24a〜24d）の開口総面積を狭めることによって空気の風速を高めることができる。
【００２７】
また、上記第６の発明によれば、空気の風速は簡単に高められる。
【図面の簡単な説明】
【００２８】
【図１】図１は、実施形態１の室内ユニットを斜め下方から見た斜視図である。
【図２】図２は、ケーシング本体の天板を省略した室内ユニットの概略の平面図である。
【図３】図３は、図２のIII−Ｏ−III断面を示す室内ユニットの概略の断面図である。
【図４】図４は、室内ユニットの概略の下面図である。
【図５】図５は、実施形態１に係る室内制御部と当該室内制御部に接続された機器とを模式的に示すブロック図である。
【図６】図６は、水平吹き位置にある風向調節羽根を示す化粧パネルの要部の断面図である。
【図７】図７は、下吹き位置にある風向調節羽根を示す化粧パネルの要部の断面図である。
【図８】図８は、気流ブロック位置にある風向調節羽根を示す化粧パネルの要部の断面図である。
【図９】図９は、室内ユニットが行う気流ローテーションの１サイクルを示す説明図であって、各動作における室内ユニットの下面を模式的に示したものである。
【図１０】図１０は、室内ユニットが暖房運転時の気流ローテーションを行っている場合の室内の温度分布を示す室内空間の平面図である。
【図１１】図１１は、実施形態２に係る室内制御部と当該室内制御部に接続された機器とを模式的に示すブロック図である。
【発明を実施するための形態】
【００２９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３０】
≪実施形態１≫
−室内ユニットの構成−
図１に示すように、本実施形態１の室内ユニット（10）は、いわゆる天井埋込型に構成されている。この室内ユニット（10）は、図外の室外ユニットと共に空気調和装置を構成する。空気調和装置では、室内ユニット（10）と室外ユニットを連絡配管で接続することによって、冷媒が循環して冷凍サイクルを行う冷媒回路が形成されている。
【００３１】
図１〜図５に示すように、室内ユニット（10）は、ケーシング（20）（室内ケーシングに相当）と、室内ファン（31）と、室内熱交換器（32）と、ドレンパン（33）と、ベルマウス（36）と、風向調節羽根（51）と、吸込温度センサ（81）（温度検知部に相当）と、室内制御部（90）とを備えている。
【００３２】
〈ケーシング〉
ケーシング（20）は、室内空間（500）の天井（501）に設置されている。ケーシング（20）は、ケーシング本体（21）と化粧パネル（22）とによって構成されている。このケーシング（20）には、室内ファン（31）と、室内熱交換器（32）と、ドレンパン（33）と、ベルマウス（36）とが収容されている。
【００３３】
ケーシング本体（21）は、室内空間（500）の天井（501）に形成された開口に挿入されて配置されている。ケーシング本体（21）は、下面が開口する概ね直方体状の箱形に形成されている。このケーシング本体（21）は、概ね平板状の天板（21a）と、天板（21a）の周縁部から下方に延びる側板（21b）とを有している。
【００３４】
〈室内ファン〉
図３に示すように、室内ファン（31）は、下方から吸い込んだ空気を径方向の外側に向けて吹き出す遠心送風機である。室内ファン（31）は、ケーシング本体（21）の内部中央に配置されている。室内ファン（31）は、室内ファンモータ（31a）によって駆動される。室内ファンモータ（31a）は、天板（21a）の中央部に固定されている。
【００３５】
〈ベルマウス〉
ベルマウス（36）は、室内ファン（31）の下方に配置されている。このベルマウス（36）は、ケーシング（20）へ流入した空気を室内ファン（31）へ案内するための部材である。ベルマウス（36）は、ドレンパン（33）と共に、ケーシング（20）の内部空間を、室内ファン（31）の吸い込み側に位置する一次空間（21c）と、室内ファン（31）の吹き出し側に位置する二次空間（21d）とに仕切っている。
【００３６】
〈室内熱交換器〉
室内熱交換器（32）は、いわゆるクロスフィン型のフィン・アンド・チューブ熱交換器である。図２に示すように、室内熱交換器（32）は、平面視でロ字状に形成され、室内ファン（31）の周囲を囲むように配置されている。つまり、室内熱交換器（32）は、二次空間（21d）に配置されている。室内熱交換器（32）は、その内側から外側へ向かって通過する空気を、冷媒回路の冷媒と熱交換させる。
【００３７】
〈ドレンパン〉
ドレンパン（33）は、いわゆる発泡スチロール製の部材である。図３に示すように、ドレンパン（33）は、ケーシング本体（21）の下端を塞ぐように配置されている。ドレンパン（33）の上面には、室内熱交換器（32）の下端に沿った水受溝（33b）が形成されている。水受溝（33b）には、室内熱交換器（32）の下端部が入り込んでいる。水受溝（33b）は、室内熱交換器（32）において生成したドレン水を受け止める。
【００３８】
図２に示すように、ドレンパン（33）には、主吹出し通路（34a〜34d）と副吹出し通路（35a〜35d）とが四つずつ形成されている。主吹出し通路（34a〜34d）及び副吹出し通路（35a〜35d）は、室内熱交換器（32）を通過した空気が流れる通路であって、ドレンパン（33）を上下方向に貫通している。主吹出し通路（34a〜34d）は、断面が細長い長方形状の貫通孔である。主吹出し通路（34a〜34d）は、ケーシング本体（21）の四つの辺のそれぞれに沿って一つずつ配置されている。副吹出し通路（35a〜35d）は、断面がやや湾曲した矩形状の貫通孔である。副吹出し通路（35a〜35d）は、ケーシング本体（21）の四つの角部のそれぞれに一つずつ配置されている。つまり、ドレンパン（33）では、その周縁に沿って、主吹出し通路（34a〜34d）と副吹出し通路（35a〜35d）とが交互に配置されている。
【００３９】
〈化粧パネル〉
化粧パネル（22）は、四角い厚板状に形成された樹脂製の部材である。化粧パネル（22）の下部は、ケーシング本体（21）の天板（21a）よりも一回り大きな正方形状に形成されている。この化粧パネル（22）は、ケーシング本体（21）の下面を覆うように配置されている。また、化粧パネル（22）の下面は、ケーシング（20）の下面を構成し、室内空間（500）に露出している。
【００４０】
図３及び図４に示すように、化粧パネル（22）の中央部には、正方形状の一つの吸込口（23）（吸込み開口に相当）が形成されている。吸込口（23）は、化粧パネル（22）を上下に貫通し、ケーシング（20）内部の一次空間（21c）に連通する。ケーシング（20）へ吸い込まれる空気は、吸込口（23）を通って一次空間（21c）へ流入する。吸込口（23）には、格子状の吸込グリル（41）が設けられている。また、吸込グリル（41）の上方には、吸込フィルタ（42）が配置されている。
【００４１】
化粧パネル（22）には、概ね四角い輪状の吹出口（26）が、吸込口（23）を囲むように形成されている。図４に示すように、吹出口（26）は、四つの主吹出し開口（24a〜24d）（吹出し開口に相当）と、四つの副吹出し開口（25a〜25d）とに区分されている。
【００４２】
主吹出し開口（24a〜24d）は、主吹出し通路（34a〜34d）の断面形状に対応した細長い開口である。主吹出し開口（24a〜24d）は、化粧パネル（22）の四つの辺のそれぞれに沿って一つずつ配置されている。
【００４３】
化粧パネル（22）の主吹出し開口（24a〜24d）は、ドレンパン（33）の主吹出し通路（34a〜34d）と一対一に対応している。各主吹出し開口（24a〜24d）は、対応する主吹出し通路（34a〜34d）と連通する。つまり、第１主吹出し開口（24a）は第１主吹出し通路（34a）と、第２主吹出し開口（24b）は第２主吹出し通路（34b）と、第３主吹出し開口（24c）は第３主吹出し通路（34c）と、第４主吹出し開口（24d）は第４主吹出し通路（34d）と、それぞれ連通する。
【００４４】
副吹出し開口（25a〜25d）は、１／４円弧状の開口である。副吹出し開口（25a〜25d）は、化粧パネル（22）の四つの角部のそれぞれに一つずつ配置されている。化粧パネル（22）の副吹出し開口（25a〜25d）は、ドレンパン（33）の副吹出し通路（35a〜35d）と一対一に対応している。各副吹出し開口（25a〜25d）は、対応する副吹出し通路（35a〜35d）と連通する。つまり、第１副吹出し開口（25a）は第１副吹出し通路（35a）と、第２副吹出し開口（25b）は第２副吹出し通路（35b）と、第３副吹出し開口（25c）は第３副吹出し通路（35c）と、第４副吹出し開口（25d）は第４副吹出し通路（35d）と、それぞれ連通する。
【００４５】
〈風向調節羽根〉
図４に示すように各主吹出し開口（24a〜24d）には、風向調節羽根（51）が設けられている。風向調節羽根（51）は、吹出し気流の方向（即ち、主吹出し開口（24a〜24d）から吹き出される空気の風向）を調節するための部材である。
【００４６】
風向調節羽根（51）は、吹出し気流の方向を上下方向に変更する。つまり、風向調節羽根（51）は、吹出し気流の方向と水平方向のなす角度が変化するように、吹出し気流の方向を変化させる。
【００４７】
風向調節羽根（51）は、化粧パネル（22）の主吹出し開口（24a〜24d）の長手方向の一端から他端に亘って延びる細長い板状に形成されている。図３に示すように、風向調節羽根（51）は、その長手方向に延びる中心軸（53）まわりに回動自在となるように、支持部材（52）に支持されている。風向調節羽根（51）は、その横断面（長手方向と直交する断面）の形状が揺動運動の中心軸（53）から遠ざかる方向に凸となるように湾曲している。
【００４８】
図４に示すように、各風向調節羽根（51）には、駆動モータ（54）が連結されている。風向調節羽根（51）は、駆動モータ（54）によって駆動され、中心軸（53）まわりに所定の角度範囲で回転移動する。また、詳しくは後述するが、風向調節羽根（51）は、主吹出し開口（24a〜24d）を通過する空気の流れを妨げる気流ブロック位置に変位可能となっており、主吹出し開口（24a〜24d）の吹出し気流を阻害する気流阻害機構（50）を兼ねている。
【００４９】
〈吸込温度センサ〉
図３に示すように、吸込温度センサ（81）は、吸込口（23）付近に設けられている。吸込温度センサ（81）は、吸込口（23）からケーシング本体（21）内に吸い込まれる空気の吸い込み温度をセンシングする。
【００５０】
〈室内制御部〉
室内制御部（90）は、メモリ及びＣＰＵによって構成されており、室内ユニット（10）の動作を制御する。図５に示すように、室内制御部（90）は、吸込温度センサ（81）と、各風向調節羽根（51）の駆動モータ（54）と、室内ファン（31）の室内ファンモータ（31a）と接続されている。室内制御部（90）は、メモリに格納されている各種プログラムをＣＰＵが読み出して実行することにより、負荷検知部（91）及びモータ制御部（92）（制御部に相当）として機能する。モータ制御部（92）には、各駆動モータ（54）を制御して各主吹出し開口（24a〜24d）から吹き出される空気の風向を制御する風向制御部（93）と、室内ファンモータ（31a）を制御する回転速度制御部（94）とが含まれる。
【００５１】
負荷検知部（91）は、吸込温度センサ（81）の検知結果である空気の吸込み温度を用いて、室内空間（500）の負荷を検知する。特に、負荷検知部（91）による室内空間（500）の負荷の検知動作は、暖房運転時に行われる。具体的に、負荷検知部（91）は、暖房運転時における室内空間（500）の設定温度と吸込温度センサ（81）の検知結果（吸込み温度）との差により、室内空間（500）の負荷を検知する。当該差が大きい程、暖房運転時における室内空間（500）の負荷は大きいと検知され、当該差が小さい程、暖房運転時における室内空間（500）の負荷は小さいと検知される。そこで、負荷検知部（91）は、当該差が所定差よりも高い場合には、室内空間（500）の負荷が所定値よりも高い高負荷状態であると検知する。逆に、負荷検知部（91）は、当該差が所定差よりも低い場合には、室内空間（500）の負荷が所定値よりも低い低負荷状態であると検知する。
【００５２】
なお、本実施形態１に言う暖房運転には、圧縮機（図示せず）及び室内ファン（31）の運転により、暖められた空気が室内空間（500）に供給される場合の他、室内ファン（31）は運転を継続しているものの圧縮機が一時的に停止する場合（即ちサーキュレーション運転）も含むものとする。
【００５３】
風向制御部（93）は、各駆動モータ（54）を作動させることによって各風向調節羽根（51）の位置を個別に制御する。風向制御部（93）の制御の詳細については、“−風向制御部の制御動作−”にて述べる。
【００５４】
回転速度制御部（94）は、室内ファンモータ（31a）の制御により、室内ファン（31）の回転速度を制御する。
【００５５】
−室内ユニット内における空気の流れ−
室内ユニット（10）の運転中には、室内ファン（31）が回転する。室内ファン（31）が回転すると、室内空間（500）の室内空気が、吸込口（23）を通ってケーシング（20）内の一次空間（21c）へ流入する。一次空間（21c）へ流入した空気は、室内ファン（31）に吸い込まれ、二次空間（21d）へ吹き出される。
【００５６】
二次空間（21d）へ流入した空気は、室内熱交換器（32）を通過する間に冷却され又は加熱され、その後に四つの主吹出し通路（34a〜34d）と四つの副吹出し通路（35a〜35d）へ分かれて流入する。主吹出し通路（34a〜34d）へ流入した空気は、主吹出し開口（24a〜24d）を通って室内空間（500）へ吹き出される。副吹出し通路（35a〜35d）へ流入した空気は、副吹出し開口（25a〜25d）を通って室内空間（500）へ吹き出される。
【００５７】
即ち、室内空間（500）の空気が吸込口（23）からケーシング本体（21）内に流入し、
その後吹出口（26）を介して再び室内空間（500）へと吹き出される空気の流れは、室内ファン（31）によって生成される。
【００５８】
冷房運転中の室内ユニット（10）では、室内熱交換器（32）が蒸発器として機能し、空気が室内熱交換器（32）を通過する間に冷却される。一方、暖房運転中の室内ユニット（10）では、室内熱交換器（32）が凝縮器として機能し、空気が室内熱交換器（32）を通過する間に加熱される。
【００５９】
−風向調節羽根の動作−
上述したように、風向調節羽根（51）は、中心軸（53）まわりに回転移動することによって、吹出し気流の方向を変更する。風向調節羽根（51）は、図６に示す水平吹き位置と、図７に示す下吹き位置との間を移動可能となっている。また、風向調節羽根（51）は、図７に示す下吹き位置から更に回転移動することによって、図８に示す気流ブロック位置にも移動可能となっている。
【００６０】
風向調節羽根（51）の位置が図６に示す水平吹き位置になっている場合は、主吹出し通路（34a〜34d）を下向きに流れてきた空気の流れの方向が横方向に変更され、主吹出し開口（24a〜24d）の吹出し気流が水平吹き状態となる。この場合、主吹出し開口（24a〜24d）の吹出し気流の方向（即ち、主吹出し開口（24a〜24d）から吹き出される空気の風向）は、水平方向に対して例えば２５°程度に設定される。この場合、厳密に言えば吹出し気流の方向は水平方向よりも僅かに下向きとなるが、気流の方向は実質的に水平方向であると言って差し支えない。このように、吹出し気流が水平吹き状態となることで、主吹出し開口（24a〜24d）から吹き出される空気は、室内空間（500）の壁（502）に到達可能となる。
【００６１】
風向調節羽根（51）の位置が図７に示す下吹き位置になっている場合は、主吹出し通路（34a〜34d）を下向きに流れてきた空気の流れの方向が概ねそのまま維持され、主吹出し開口（24a〜24d）の吹出し気流が下吹き状態となる。この場合、吹出し気流の方向は、厳密に言えば、真下よりも吸込口（23）から離れる方向に若干傾いた斜め下方向となる。
【００６２】
風向調節羽根（51）の位置が図８に示す気流ブロック位置になっている場合は、主吹出し開口（24a〜24d）の大半が風向調節羽根（51）によって塞がれた状態になると共に、主吹出し通路（34a〜34d）を下向きに流れてきた空気の流れの方向が吸込口（23）側に変更される。この場合、主吹出し開口（24a〜24d）を通過する際の空気の圧力損失が大きくなるため、主吹出し開口（24a〜24d）を通過する空気の流量が少なくなる。また、空気は、主吹出し開口（24a〜24d）から吸込口（23）側へ向かって吹き出される。このため、主吹出し開口（24a〜24d）から吹き出された空気は、すぐに吸込口（23）へ吸い込まれることとなる。つまり、風向調節羽根（51）が気流ブロック位置となっている主吹出し開口（24a〜24d）からは、空気が室内空間（500）へ実質的に供給されない。
【００６３】
−風向制御部の制御動作−
〈暖房運転時の基本的な気流について〉
先ず、本実施形態１に係る風向制御部（93）の制御動作の本質について説明する。
【００６４】
暖房運転において、室内空間（500）の負荷が高負荷状態であると負荷検知部（91）が検知した場合、風向制御部（93）は、主吹出し開口（24a〜24d）から吹き出される空気の風向が水平状態となるように、風向調節羽根（51）を制御する（水平吹きモード）。
【００６５】
暖房運転は、例えば冬季のように外気温度が比較的低い場合に行われるが、暖房運転中に室内空間（500）の壁付近から冷気が室内空間（500）内部へと進入してくる場合がある。室内空間（500）が高負荷状態であれば、この現象は顕著に生じていることになる。これに対し、本実施形態１では、暖房運転時に室内空間（500）が高負荷状態であれば、主吹出し開口（24a〜24d）から吹き出される空気を、風向調節羽根（51）によって水平方向に導く。これにより、主吹出し開口（24a〜24d）から吹き出された比較的暖かい空気は、室内空間（500）の壁（502）に到達し、壁（502）に沿って下方へと流れる。従って、室内空間（500）の壁（502）は空気によって暖められ、室内空間（500）の壁（502）の温度は上昇する。壁（502）に到達した空気は、壁（502）から室内空間（500）に進入してくる冷気の流れを遮断する。従って、室内空間（500）の中央部と周辺部（壁付近）における気温の差は縮小される。
【００６６】
更に、本実施形態１では、暖房運転において室内空間（500）が高負荷状態であると判断した場合（即ち、水平吹きモード時）、主吹出し開口（24a〜24d）から吹き出される空気の風速を、暖房運転において室内空間（500）が低負荷状態である場合（通常吹きモード）よりも高くする制御も行われる。
【００６７】
空気の風速を高くする方法としては、以下の（Ｉ）〜（ＩＩＩ）が挙げられる。
（Ｉ）風向制御部（93）は、４つの風向調節羽根（51）のうち任意の風向調節羽根（51）を、図８で示した気流ブロック位置にする。
（ＩＩ）回転速度制御部（94）は、室内ファン（31）の回転速度を、室内空間（500）が低負荷状態である場合よりも高くする制御を行う。
（ＩＩＩ）風向制御部（93）は、任意の風向調節羽根（51）を図８の気流ブロック位置にさせ、且つ、回転速度制御部（94）は、室内ファン（31）の回転速度を、室内空間（500）が低負荷状態である場合よりも高くする。
【００６８】
上記（Ｉ）の方法では、例えば１つの主吹出し開口（24a）の風向調節羽根（51）を気流ブロック位置とし、残りの主吹出し開口（24b〜24d）の風向調節羽根（51）を水平吹き状態（水平吹き位置）に設定する。つまり、（Ｉ）の方法では、主吹出し開口（24a〜24d）の開口総面積が、暖房運転において室内空間（500）が低負荷状態である場合に比して小さくなると言える。この場合、主吹出し開口（24a）から室内空間（500）へは、空気の吹き出しが実質的になされない。しかし、残りの主吹出し開口（24b〜24d）から室内空間（500）には、全ての主吹出し開口（24a〜24d）から空気が吹き出される場合よりも風速の高い空気が、概ね水平方向に吹き出されることになる。
【００６９】
上記（ＩＩ）の方法では、室内ファン（31）の回転速度が高められる。そのため、水平吹き位置に設定されている主吹出し開口（24a〜24d）からは、風速が高められた空気が概ね水平方向に吹き出されることは、言うまでもない。
【００７０】
上記（ＩＩＩ）の方法は、（Ｉ）の方法及び（ＩＩ）の方法が共に採用された場合を表している。この場合、水平吹き位置を採る風向調節羽根（51）が設けられた主吹出し開口（24a〜24d）からは、上記（Ｉ）及び（ＩＩ）よりも風速が高められた空気が、水平方向に吹き出される。
【００７１】
上記（Ｉ）〜（ＩＩＩ）のいずれかの方法によって空気の風速が高められることにより、比較的暖かい空気は、室内空間（500）の壁付近に確実に到達する。従って、室内空間（500）の壁（502）は、風速が高められない場合（即ち、通常吹きモード）に比してより確実に暖められ、壁（502）から室内空間（500）に進入してくる冷気の流れは、より確実に遮断される。
【００７２】
なお、暖房運転において、室内空間（500）の負荷が低負荷状態である通常吹きモードの場合、以下の気流ローテーションにて述べる通常吹出し動作が行われても良い。また、通常吹きモードでは、風向調節羽根（51）が水平吹き位置を採ることで空気の風向が水平状態となるが、風速は水平吹きモードよりも低い制御が行われてもよい。
【００７３】
〈暖房運転時の気流の応用例：気流ローテーションについて〉
次に、上述した水平吹きモードを利用した応用例について述べる。
【００７４】
応用例では、室内ユニット（10）が後述する通常吹出し動作、第１吹出し動作、及び第２吹出し動作を実行できるように、風向制御部（93）は、風向調節羽根（51）の位置を制御する。更に、風向制御部（93）は、室内ユニット（10）が図９に示す気流ローテーションを行うように、各主吹出し開口（24a〜24d）に設けられた風向調節羽根（51）の位置を変更する制御を行う。図９では、気流ローテーションの一つのサイクルにおいて、一回目の通常吹出し動作、第１吹出し動作、二回目の通常吹出し動作、第２吹出し動作が順に行われる。つまり、気流ローテーションの一つのサイクルでは、二回の通常吹出し動作と、一回の第１吹出し動作と、一回の第２吹出し動作とが行われる。
【００７５】
なお、気流ローテーション中、室内ファン（31）の回転速度は実質的に一定に保たれているとする。また、気流ローテーション中、風速を高める方法として、上記（Ｉ）が採用された場合を例に取る。
【００７６】
なお、以下では、説明の便宜上、図１、図４及び図９に示すように、化粧パネル（22）の互いに対向する二つの辺に沿った第２主吹出し開口（24b）及び第４主吹出し開口（24d）を「第１開口（24X）」、残りの第１主吹出し開口（24a）及び第３主吹出し開口（24c）を「第２開口（24Y）」と言う。
【００７７】
暖房運転時の通常吹出し動作において、風向制御部（93）は、全ての主吹出し開口（24a〜24d）の風向調節羽根（51）を、下吹き位置に設定する。このため、暖房運転時の通常吹出し動作では、四つの主吹出し開口（24a〜24d）から空気が下向きに吹き出される。
【００７８】
暖房運転時の第１吹出し動作において、風向制御部（93）は、第１開口（24X）を構成する二つの主吹出し開口（24b,24d）の風向調節羽根（51）を水平吹き位置に設定し、第２開口（24Y）を構成する二つの主吹出し開口（24a,24c）の風向調節羽根（51）を気流ブロック位置に設定する。このため、空気は、第２主吹出し開口（24b）及び第４主吹出し開口（24d）から室内空間（500）へ吹き出され、第１主吹出し開口（24a）及び第３主吹出し開口（24c）からは室内空間（500）へ実質的に吹き出されない。また、第２主吹出し開口（24b）及び第４主吹出し開口（24d）の吹出し風速は、通常吹出し動作における吹出し風速よりも高くなる。つまり、第１吹出し動作では、第２主吹出し開口（24b）及び第４主吹出し開口（24d）から、空気が、通常吹出し動作中よりも高い流速で、実質的に水平方向へ向かって吹き出される。
【００７９】
暖房運転時の第２吹出し動作において、風向制御部（93）は、第２開口（24Y）を構成する二つの主吹出し開口（24a,24c）の風向調節羽根（51）を水平吹き位置に設定し、第１開口（24X）を構成する二つの主吹出し開口（24b,24d）の風向調節羽根（51）を気流ブロック位置に設定する。このため、空気は、第１主吹出し開口（24a）及び第３主吹出し開口（24c）から室内空間（500）へ吹き出され、第２主吹出し開口（24b）及び第４主吹出し開口（24d）からは室内空間（500）へ実質的に吹き出されない。また、第１主吹出し開口（24a）及び第３主吹出し開口（24c）の吹出し風速は、通常吹出し動作における吹出し風速よりも高くなる。つまり、第２吹出し動作では、二つの第１主吹出し開口（24a）及び第３主吹出し開口（24c）から、調和空気が、通常吹出し動作中よりも高い流速で、実質的に水平方向へ向かって吹き出される。
【００８０】
なお、通常吹出し動作、第１吹出し動作、及び第２吹出し動作の何れにおいても、副吹出し開口（25a〜25d）からは空気が吹き出される。
【００８１】
また、図９に示す暖房運転時の気流ローテーションの一つのサイクルでは、一回目の通常吹出し動作の継続時間、第１吹出し動作の継続時間、二回目の通常吹出し動作の継続時間、及び第２吹出し動作の継続時間のそれぞれが、互いに同じ時間（例えば、１２０秒）に設定される。
【００８２】
〈暖房運転時の室内空間の温度分布〉
暖房運転時の室内空間（500）の温度分布について、図１０を参照しながら説明する。
【００８３】
図１０は、室内ユニット（10）の暖房運転中における室内空間（500）の温度分布のシミュレーション結果を示している。図１０は、室内ユニット（10）が暖房運転を開始してから２０分後の、室内空間（500）の床面から６０ｃｍの位置における気温を示している。また、図１０では、ハッチングの密度が高い領域ほど気温が高い。
【００８４】
なお、シミュレーションの対象となる部屋は、床面が概ね正方形状であり、中央にパーティション（510）が設けられた細長い二つのデスク（511）が平行に配置されている。また、室内ユニット（10）は、室内空間（500）の天井の概ね中央に配置されている。
【００８５】
まず、室内空間（500）に従来の室内ユニット（610）が設置されている場合の、室内空間（500）の温度分布について、図１０の(ａ)を参照しながら説明する。
【００８６】
暖房運転時において、従来の室内ユニット（610）では、全ての主吹出し開口（24a〜24d）の風向調節羽根（51）が下吹き位置に設定される。そして、従来の室内ユニット（610）は、室内熱交換器（32）を通過する際に加熱された空気を、全ての主吹出し開口（24a〜24d）から実質的に床面に向かって吹き出す。
【００８７】
図１０の(ａ)に示すように、室内空間（500）では、室内ユニット（610）の下方に位置する中央部の領域において、気温が非常に高くなっている。これは、室内ユニット（610）から下向きに吹き出された暖かい調和空気が、二つのパーティション（510）に挟まれた室内空間（500）の中央部の領域に滞留するからだと推定される。
【００８８】
一方、室内空間（500）では、室内ユニット（610）から離れた周辺部の領域において、気温が充分に上昇していない。これは、室内ユニット（610）から下向きに吹き出された暖かい調和空気が、パーティション（510）よりも壁（502）側の領域に到達できないからだと推定される。
【００８９】
次に、室内空間（500）に本実施形態１の室内ユニット（10）が設置されており、上述した応用例である気流ローテーションが行われる場合の室内空間（500）の温度分布について、図１０の(ｂ)を参照しながら説明する。
【００９０】
通常吹出し動作では、室内ユニット（10）から下向きに吹き出された暖かい調和空気が、二つのパーティション（510）に挟まれた室内空間（500）の中央部の領域に供給される。このため、室内空間（500）では、室内ユニット（10）の下方に位置する中央部の領域において、気温が上昇する。ただし、通常吹出し動作が間欠的に行われるため、室内空間（500）の中央部の領域における気温が過度に上昇することは無い。
【００９１】
一方、第１吹出し動作および第２吹出し動作では、室内ユニット（10）から吹き出された暖かい調和空気が、概ね水平方向へ、通常吹出し動作中よりも高い流速で吹き出される。従って、第１吹出し動作および第２吹出し動作では、室内ユニット（10）から吹き出された暖かい調和空気が、パーティション（510）の上方を流れて室内空間（500）の壁（502）にまで到達する。このため、室内空間（500）では、室内ユニット（10）から離れた周辺部の領域においても、気温が上昇する。
【００９２】
また、第１吹出し動作および第２吹出し動作では、室内ユニット（10）から吹き出された暖かい調和空気が、室内空間（500）の壁（502）にまで到達し、壁（502）に沿って下方へと流れる。このため、室内空間（500）の壁（502）が調和空気によって暖められ、その結果、室内空間（500）の壁（502）の温度が上昇する。従って、室内空間（500）の周辺部の領域では、壁（502）が調和空気によって暖められることによっても、気温の低下が抑えられる。
【００９３】
このように、暖房運転時における上記気流ローテーションでは、従来の室内ユニット（610）が暖房運転を行う場合に比べて、室内空間（500）の中央部と周辺部における気温の差が大幅に縮小する。
【００９４】
〈冷房運転時の気流について〉
冷房運転では、風向制御部（93）は、例えば全ての主吹出し開口（24a〜24d）の風向調節羽根（51）を、水平吹き位置と下吹き位置との間で往復移動させる。これにより、主吹出し開口（24a〜24d）から吹き出される比較的冷たい空気の気流は、各風向調節羽根（51）の動作に応じて変動する。
【００９５】
−実施形態１の効果−
本実施形態１の室内ユニット（10）では、暖房運転時の室内空間（500）が高負荷状態である場合（水平吹きモード時）、室内空間（500）には、水平方向に空気が供給される。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【００９６】
また、実施形態１では、暖房運転時における室内空間（500）の負荷は、設定温度と吸込み温度との差によって判断される。即ち、暖房運転時の室内空間（500）の負荷は、簡単な方法によって判断されると言える。
【００９７】
また、本実施形態１では、暖房運転において室内空間（500）が高負荷状態である場合（水平吹きモード時）、主吹出し開口（24a〜24d）から吹き出される空気の風速を、暖房運転において室内空間（500）が低負荷状態である場合に比して高くする制御が行われる。これにより、比較的温かい空気は、壁付近に、より到達し易くなる。従って、壁付近から室内空間（500）内への冷気の進入を、より確実に防ぐことができる。
【００９８】
空気の風速を高くする手法としては、上記（Ｉ）に示したように、主吹出し開口（24a〜24d）の開口総面積が狭められることが挙げられる。この手法では、簡単に空気の風速が高められることになる。
【００９９】
上記（Ｉ）の手法は、風向調節羽根（51）が、空気の流れを阻害する姿勢に変位可能に構成されることで実現することができる。これにより、空気の流れを阻害するための機構を風向調節羽根（51）とは別途設けることなく、主吹出し開口（24a〜24d）の開口総面積を狭めることによって空気の風速を高めることができる。
【０１００】
また、空気の風速を高くする手法としては、上記（ＩＩ）に示したように、室内ファン（31）の回転速度を高くすることが挙げられる。この手法でも、簡単に空気の風速が高められることになる。
【０１０１】
また、空気の風速を高くする手法として、上記（ＩＩＩ）を採用することもできる。上記（ＩＩＩ）により、更に確実に空気の風速が高められる。
【０１０２】
−実施形態１の変形例１−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転において室内空間（500）が高負荷状態である場合、主吹出し開口（24a〜24d）から吹き出される空気が、室内空間（500）の壁付近に到達するような風向を採れば良い。従って、天井設置タイプ及び壁掛けタイプでは、暖房運転において室内空間（500）が高負荷状態である場合、風向制御部（93）は、主吹出し開口（24a〜24d）から吹き出される空気を水平状態よりも上吹きの状態（例えば、風向調節羽根（51）が水平方向に対して上方向に２５°傾斜する状態）となるように、風向調節羽根（51）を制御してもよい。例えば、主吹出し開口（24a〜24d）から吹き出される空気を、コアンダ効果を利用して水平状態よりも上吹きの状態とすることが考えられる。
【０１０３】
−実施形態１の変形例２−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（90）に入力されてもよいし、当該距離を測定するためのセンサが予め室内ユニット（10）に取り付けられていても良い。
【０１０４】
−実施形態１の変形例３−
負荷検知部（91）は、室内空間（500）の負荷を検知する際、吸込温度センサ（81）の検知結果そのものを利用するのではなく、吸込温度センサ（81）の検知結果を補正した値を利用してもよい。これにより、負荷検知部（91）は、室内空間（500）の負荷を精度良く検知することができる。主吹出し開口（24a〜24d）や副吹出し開口（25a〜25d）から吹き出された空気が、室内空間（500）を循環せずに直ちに吸込口（23）からケーシング（20）内に吸い込まれる場合に有効である。
【０１０５】
−実施形態１の変形例４−
暖房運転時の室内空間（500）の負荷を検知する方法は、設定温度と吸込温度センサ（81）の検知結果とを利用した方法に限定されずとも良い。例えば、負荷検知部（91）は、暖房運転時の室内空間（500）の負荷を、吸込温度センサ（81）の検知結果と室内空間（500）の床温度との平均値を用いて検知してもよい。この場合、吸込温度センサ（81）の検知結果そのものではなく、補正後の吸込温度センサ（81）の検知結果が利用されても良い。
【０１０６】
更に、暖房運転時の室内空間（500）の負荷は、室内空間（500）の壁面負荷や床面負荷から判断されてもよい。
【０１０７】
更に、暖房運転時の室内空間（500）の負荷が検知されるタイミングとしては、所定時間間隔毎であってもよいし、室内空間（500）の利用者によってリモートコントローラを介して操作された時であってもよい。
【０１０８】
−実施形態１の変形例５−
暖房運転時の室内空間（500）の負荷の検知には、吸込温度センサ（81）に代えて、室内空間（500）に個別に設置された室内の温度検知用のセンサの検知結果、またはその補正結果が利用されてもよい。なお、個別に設置される室内の温度検知用のセンサの種類は、有線を用いた通信を行うもののみならず、無線通信を行うものであってもよい。
【０１０９】
−実施形態１の変形例６−
主吹出し開口（24a〜24d）の数は、４つに限定されず、例えば１つまたは２つであってもよい。
【０１１０】
−実施形態１の変形例７−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１１１】
−実施形態１の変形例８−
上述した暖房運転時における気流ローテーション（応用例）は、図９に限定されず、例えば通常吹出し動作と、第１吹出し動作と、第２吹出し動作とを順に繰り返し行うような動作であってもよい。
【０１１２】
−実施形態１の変形例９−
また、気流ローテーション（応用例）における第１吹出し動作および第２吹出し動作は、隣り合う二つの主吹出し開口（24a〜24d）から空気を室内空間（500）へ供給し、残りの隣り合う二つの主吹出し開口（24a〜24d）の風向調節羽根（51）を気流ブロック位置とする動作であってもよい。
【０１１３】
−実施形態１の変形例１０−
風速を高める制御は、必須ではない。また、風速を高める制御が行われる場合は、上記（Ｉ）〜（ＩＩＩ）以外の方法が採用されてもよい。
【０１１４】
従って、上記気流ローテーションにおいて、風速を高める方法として、上記（Ｉ）の方法に代えて上記（ＩＩ）または（ＩＩＩ）が採用されてもよいし、（Ｉ）〜（ＩＩＩ）以外の方法が採用されてもよい。
【０１１５】
−実施形態１の変形例１１−
気流ローテーションにおける各動作の継続時間は、互いに同じ時間（例えば、１２０秒）ではなく、異なっていても良い。
【０１１６】
−実施形態１の変形例１２−
風向を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１１７】
≪実施形態２≫
上記実施形態１では、室内空間（500）の負荷が負荷検知部（91）によって自動で検知され、その結果に応じて風向調節羽根（51）が水平吹き位置を採る場合について説明した。本実施形態２では、在室者によってリモートコントローラ（201）が操作された際に、風向調節羽根（51）が水平吹き位置を採る場合について説明する。
【０１１８】
−室内ユニットの構成−
本実施形態２に係る室内ユニット（10）は、上記実施形態１と同様、室内空間（500）に空気を吹き出すためのものである。本実施形態２に係る室内ユニット（10）は、ケーシング（20）（室内ケーシングに相当）と、室内ファン（31）と、室内熱交換器（32）と、ドレンパン（33）と、ベルマウス（36）と、風向調節羽根（51）と、室内制御部（90）と、リモートコントローラ（201）（受付部に相当）とを備えている。図１１に示すように、室内制御部（90）は、各風向調節羽根（51）の駆動モータ（54）と、室内ファン（31）の室内ファンモータ（31a）と、更にはリモートコントローラ（201）と接続されている。室内制御部（90）は、風向制御部（93）及び回転速度制御部（94）を有するモータ制御部（92）（制御部に相当）として機能する。
【０１１９】
即ち、本実施形態２に係る室内ユニット（10）は、図１１から明らかなように、上記実施形態１の吸込温度センサ（81）を備えていなくてもよく、室内制御部（90）は、上記実施形態１の負荷検知部（91）としては機能しない。
【０１２０】
なお、本実施形態２のケーシング（20）、室内ファン（31）、室内熱交換器（32）、ドレンパン（33）、ベルマウス（36）及び風向調節羽根（51）は、上記実施形態１にて説明したケーシング（20）、室内ファン（31）、室内熱交換器（32）、ドレンパン（33）、ベルマウス（36）及び風向調節羽根（51）と同様である。
【０１２１】
即ち、ケーシング（20）は、ケーシング本体（21）及び化粧パネル（22）によって構成され、複数の吹出し開口（24a〜24d,25a〜25d）及び１つの吸込口（23）が形成されている。室内ファン（31）は、室内空間（500）の空気を吸込口（23）からケーシング本体（21）内に流入させ、その後吹出し開口（24a〜24d,25a〜25d）を介して再び室内空間（500）へと吹き出す空気の流れを生成する。室内熱交換器（32）は、ケーシング（20）内部に吸い込まれた空気を、冷媒との間で熱交換させる。ドレンパン（33）は、室内熱交換器（32）において生成したドレン水を受け止める。ベルマウス（36）は、ケーシング（20）へ流入した空気を室内ファン（31）へ案内する。風向調節羽根（51）は、各主吹出し開口（24a〜24d）に対応して設けられ、該主吹出し開口（24a〜24d）から吹き出される空気の風向を上下方向に変更する。
【０１２２】
“−室内ユニット内における空気の流れ−”、“−風向調節羽根の動作−”は、上記実施形態１と同様のため、詳細な説明を省略する。
【０１２３】
〈リモートコントローラ〉
リモートコントローラ（201）は、室内空間（500）の壁（502）等に取り付けられており、室内制御部（90）と有線または無線によって通信可能に室内制御部（90）に接続されている。リモートコントローラ（201）は、在室者の操作を受け付ける。即ち、在室者は、リモートコントローラ（201）を介して、空気調和装置に関する各種設定や動作指示を行うことができる。リモートコントローラ（201）は、各種設定及び動作指示を受け付けると、これを室内制御部（90）に送信する。
【０１２４】
特に、本実施形態２の室内ユニット（10）は、空気をあえて水平方向に吹き出すための水平吹きモードを有している。図示してはいないが、リモートコントローラ（201）には、水平吹きモードを選択する外部からの操作を受け付けるための水平吹きモード選択ボタン、が備えられている。水平吹きモード選択ボタンが選択されると、リモートコントローラ（201）は、水平吹きモードが選択された旨を室内制御部（90）に送信する。
【０１２５】
在室者が水平吹きモード選択ボタンを選択する場合としては、在室者が、リモートコントローラ（201）を介して暖房運転の開始指示を行ったが、室内空間（500）の壁付近が中央部に比して温度が低いと感じる場合である。即ち、在室者が水平吹きモード選択ボタンを選択する場合とは、室内空間（500）がいわゆる高負荷状態であると在室者自身が感じた場合と言える。
【０１２６】
−風向制御部の制御動作−
〈暖房運転時の基本的な気流について〉
暖房運転において、水平吹きモードが選択された旨がリモートコントローラ（201）から送信されてきた場合、本実施形態２に係る風向制御部（93）は、主吹出し開口（24a〜24d）から吹き出される空気の風向が水平状態となるように、各風向調節羽根（51）を制御する。即ち、室内空間（500）がいわゆる高負荷状態であると在室者自身が感じた場合に、風向制御部（93）は、主吹出し開口（24a〜24d）から吹き出される空気の風向が水平状態となるように、風向調節羽根（51）を水平吹き位置に設定する。
【０１２７】
また、暖房運転において水平吹きモードが選択された旨がリモートコントローラ（201）から送信されてきた場合、モータ制御部（92）は、主吹出し開口（24a〜24d）から吹き出される空気の風速を、水平吹きモードの選択をリモートコントローラ（201）が受け付けない場合（水平吹きモードが選択されていない場合。即ち、通常吹きモード時）よりも高くする制御も行う。空気の風速を高くする方法としては、以下の（Ｉ）〜（ＩＩＩ）が挙げられる。
（Ｉ）風向制御部（93）は、４つの風向調節羽根（51）のうち任意の風向調節羽根（51）を、図８で示した気流ブロック位置にする。即ち、風向制御部（93）は、主吹出し開口（24a〜24d）の開口総面積を、水平吹きモードが選択されていない場合よりも小さくする。
（ＩＩ）回転速度制御部（94）は、室内ファン（31）の回転速度を、水平吹きモードが選択されていない場合よりも高くする制御を行う。
（ＩＩＩ）風向制御部（93）は、任意の風向調節羽根（51）を気流ブロック位置にさせ、且つ、回転速度制御部（94）は、室内ファン（31）の回転速度を、水平吹きモードが選択されていない場合よりも高くする。
【０１２８】
上記（Ｉ）〜（ＩＩＩ）それぞれは、実施形態１にて説明した（Ｉ）〜（ＩＩＩ）に対応する。従って、上記（Ｉ）〜（ＩＩＩ）の詳細な説明は省略する。
【０１２９】
これにより、主吹出し開口（24a〜24d）から吹き出された比較的暖かい空気は、室内空間（500）の壁付近に確実に到達し、壁（502）に沿って下方へと流れる。従って、室内空間（500）の壁（502）は空気によって確実に暖められ、室内空間（500）の壁（502）の温度は上昇する。そして、壁（502）に到達した空気は、壁（502）から室内空間（500）に進入してくる冷気の流れを遮断する。従って、室内空間（500）の中央部と周辺部（壁付近）における気温の差は縮小される。
【０１３０】
なお、通常吹きモードでは、空気の風向は下方向であってもよい。また、通常吹きモードでは、空気の風向は水平方向であるが、風速は水平吹きモード時よりも低い制御が行われても良い。
【０１３１】
〈暖房運転時の気流の応用例〉
上述した本実施形態２に係る暖房運転時の気流の水平吹きモードにおける応用例としては、上記実施形態１にて説明した気流ローテーションが挙げられる。即ち、暖房運転において水平吹きモードが選択された場合、上記実施形態１にて説明した気流ローテーションが行われても良い。気流ローテーションに係る詳細の説明、及び、室内空間（500）の温度分布の説明については、省略する。
【０１３２】
また、“〈冷房運転時の気流について〉”も、上記実施形態１と同様であるため、説明を省略する。
【０１３３】
−実施形態２の効果−
本実施形態２の室内ユニット（10）では、暖房運転においてリモートコントローラ（201）が水平吹きモードを受け付けた場合、室内空間（500）には、水平方向に空気が供給される。水平吹きモードは、室内空間（500）がいわゆる高負荷状態であると在室者自身が感じた場合に、在室者によって選択されるモードである。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断される。そのため、壁付近から室内空間（500）への冷気の進入を防ぐことができる。それ故、室内空間（500）の中央部と周辺部（壁付近）における気温の差は縮小される。
【０１３４】
また、本実施形態２では、暖房運転においてリモートコントローラ（201）が水平吹きモードを受け付けた場合、主吹出し開口（24a〜24d）から吹き出される空気の風速を、リモートコントローラ（201）が水平吹きモードを受け付けない場合（通常吹きモード時）に比して高くする制御が行われる。これにより、比較的温かい空気は、壁付近に、より到達し易くなる。従って、壁付近から室内空間（500）内への冷気の進入を、より確実に防ぐことができる。
【０１３５】
空気の風速を高くする方法としては、上記（Ｉ）に示したように、主吹出し開口（24a〜24d）の開口総面積が狭められることが挙げられる。この方法では、簡単に空気の風速が高められることになる。
【０１３６】
（Ｉ）の方法は、風向調節羽根（51）が、空気の流れを阻害する姿勢に変位可能に構成されることで実現することができる。これにより、空気の流れを阻害するための気流阻害機構（50）を風向調節羽根（51）とは別途設けることなく、主吹出し開口（24a〜24d）の開口総面積を狭めることによって空気の風速を高めることができる。
【０１３７】
また、空気の風速を高くする方法としては、上記（ＩＩ）に示したように、室内ファン（31）の回転速度を高くすることが挙げられる。この手法でも、簡単に空気の風速が高められることになる。
【０１３８】
また、空気の風速を高くする方法として、上記（ＩＩＩ）を採用することもできる。上記（ＩＩＩ）により、更に確実に空気の風速が高められる。
【０１３９】
−実施形態２の変形例１−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転において水平吹きモードが選択された場合、主吹出し開口（24a〜24d）から吹き出される空気が、室内空間（500）の壁付近に到達するような風向を採れば良い。従って、天井設置タイプ及び壁掛けタイプでは、暖房運転において水平吹きモードが選択された場合、風向制御部（93）は、主吹出し開口（24a〜24d）から吹き出される空気を水平状態よりも上吹きの状態（例えば、風向調節羽根（51）が水平方向に対して上方向に２５°傾斜する状態）となるように、風向調節羽根（51）を制御してもよい。例えば、主吹出し開口（24a〜24d）から吹き出される空気を、コアンダ効果を利用して水平状態よりも上吹きの状態とすることが考えられる。
【０１４０】
−実施形態２の変形例２−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（90）に入力されてもよいし、当該距離を測定するためのセンサが予め室内ユニット（10）に取り付けられていても良い。
【０１４１】
−実施形態２の変形例３−
主吹出し開口（24a〜24d）の数は、４つに限定されず、例えば１つまたは２つであってもよい。
【０１４２】
−実施形態２の変形例４−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１４３】
−実施形態２の変形例５−
風速を高める制御は、必須ではない。また、風速を高める制御が行われる場合は、上記（Ｉ）〜（ＩＩＩ）以外の方法が採用されてもよい。
【０１４４】
−実施形態２の変形例６−
室内ユニット（10）は、室内空間の負荷を自動で検知して水平吹き状態を採る実施形態１の態様と、在室者からの操作によって水平吹き状態を採る実施形態２の態様とを組合せた構成であってもよい。この場合、室内ユニット（10）は、室内空間（500）の負荷を自動検知して水平吹きモードを採る自動検知モードと、室内空間（500）の負荷を自動検知はせずに在室者からの操作によって水平吹きモードを採る手動モードとを備えていてもよい。
【０１４５】
この際、例えば在室者がリモートコントローラ（201）を介して自動検知モードと手動モードとを切り換えることができるように、室内ユニット（10）は構成されていることが好ましい。室内ユニット（10）は、自動検知モードが設定されている場合は実施形態１の態様を採り、手動モードが設定されている場合には実施形態２の態様を採ることができる。
【０１４６】
−実施形態２の変形例７−
風向を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１４７】
なお、気流ローテーションについての変形例は、上記実施形態１にて記載した変形例と同様である。
【産業上の利用可能性】
【０１４８】
以上説明したように、本発明は、室内空間に空気を吹き出す空気調和装置の室内ユニットについて有用である。
【符号の説明】
【０１４９】
10  室内ユニット
20  ケーシング（室内ケーシング）
24a〜24d  主吹出し開口（吹出し開口）
50  気流阻害機構
51  風向調節羽根
81  温度センサ（温度検知部）
91  負荷検知部
92  モータ制御部（制御部）
201  リモートコントローラ（受付部）
500  室内空間
【手続補正２】
【補正対象書類名】特許請求の範囲
【補正対象項目名】全文
【補正方法】変更
【補正の内容】
【特許請求の範囲】
【請求項１】
室内空間（500）に空気を吹き出す空気調和装置の室内ユニットであって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
上記室内空間（500）の負荷を検知する負荷検知部（91）と、
暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）と
を備えることを特徴とする空気調和装置の室内ユニット。
【請求項２】
請求項１において、
上記室内ケーシング（20）には、吸込み開口（23）が更に形成されており、
上記吸込み開口（23）から上記室内ケーシング（20）内に吸い込まれる空気の吸込み温度を検知する温度検知部（81）、
を更に備え、
上記暖房運転において上記室内空間（500）の負荷が上記所定値よりも高い場合とは、上記暖房運転における設定温度と上記吸込み温度との差が所定差よりも高い場合である
ことを特徴とする空気調和装置の室内ユニット。
【請求項３】
請求項１または２において、
上記制御部（92）は、上記暖房運転において上記室内空間（500）の負荷が上記所定値よりも高い場合、上記吹出し開口（24a〜24d）から吹き出される空気の風速を、上記暖房運転において上記室内空間（500）の負荷が上記所定値よりも低い場合に比して高くする
ことを特徴とする空気調和装置の室内ユニット。
【請求項４】
請求項３において、
上記室内ケーシング（20）には、上記吹出し開口（24a〜24d）が少なくとも１つ形成され、
上記吹出し開口（24a〜24d）に対応して、空気の流れを阻害するための気流阻害機構（50）が設けられ、
上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を制御する
ことを特徴とする空気調和装置の室内ユニット。
【請求項５】
請求項４において、
上記風向調節羽根（51）は、空気の流れを阻害する姿勢に変位可能に構成され、上記気流阻害機構（50）を兼ねている
ことを特徴とする空気調和装置の室内ユニット。
【請求項６】
請求項３から５いずれか１つにおいて、
上記室内ケーシング（20）内部に設けられ、上記吹出し開口（24a〜24d）から吹き出される空気の流れを生成する室内ファン（31）、
を更に備え、
上記制御部（92）は、上記暖房運転において上記室内空間（500）の負荷が上記所定値よりも高い場合、上記室内ファン（31）の回転速度を、上記暖房運転において上記室内空間（500）の負荷が上記所定値よりも低い場合に比して高くする
ことを特徴とする空気調和装置の室内ユニット。
【請求項７】
室内空間（500）に空気を吹き出す空気調和装置の室内ユニットであって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
空気を水平方向または該水平方向よりも上方向に吹き出すための水平吹きモード、をユーザが選択するための操作を受け付け可能な受付部（201）と、
暖房運転において、上記受付部（201）が上記水平吹きモードを受け付けた場合、上記吹出し開口（24a〜24d）から吹き出される空気の風向が水平状態または該水平状態よりも上吹きの状態となるように、上記風向調節羽根（51）を制御する制御部（92）と
を備えることを特徴とする空気調和装置の室内ユニット。
【請求項８】
請求項７において、
上記制御部（92）は、上記受付部（201）が上記水平吹きモードを受け付けた場合、上記吹出し開口（24a〜24d）から吹き出される空気の風速を、上記受付部（201）が上記水平吹きモードを受け付けない場合に比して高くする
ことを特徴とする空気調和装置の室内ユニット。
【手続補正３】
【補正対象書類名】図面
【補正対象項目名】図５
【補正方法】変更
【補正の内容】
【図５】
2017067346.tif 000014
【手続補正４】
【補正対象書類名】図面
【補正対象項目名】図１１
【補正方法】変更
【補正の内容】
【図１１】
2017067346.tif 000015
【手続補正書】
【提出日】平成28年11月10日(2016.11.10)
【手続補正１】
【補正対象書類名】明細書
【補正対象項目名】全文
【補正方法】変更
【補正の内容】
【発明の詳細な説明】
【技術分野】
【０００１】
本発明は、室内の空調を行う空気調和装置の室内ユニットに関するものである。
【背景技術】
【０００２】
従来より、例えば特許文献１に開示されているような空気調和装置の室内ユニットが知られている。この種の室内ユニットは、天井付近に設置され、加熱され又は冷却された空気を室内空間へ吹き出す。
【先行技術文献】
【特許文献】
【０００３】
【特許文献１】特開平１−３０２０５９号公報
【発明の概要】
【発明が解決しようとする課題】
【０００４】
特許文献１では、暖房運転において外気温度と室温との差が非常に大きいような高負荷時、暖かい空気が下方向に供給されるように、風向を下吹きとする調節が行われる。しかしながら、この場合、室内ユニットの真下は暖められても、室内空間には壁付近から冷気が進入する。すると、室内空間の例えば中央部と壁付近（周辺部）との温度差は依然として大きい状態が保たれてしまう。
【０００５】
本発明は、かかる点に鑑みてなされたものであり、その目的は、室内空間の壁付近からの冷気の進入を防ぐことである。
【課題を解決するための手段】
【０００６】
第１の発明は、室内空間（500）に空気を吹き出す空気調和装置の室内ユニットであって、吹出し開口（24a〜24d）と吸込み開口（23）とが形成された室内ケーシング（20）と、上記吹出し開口（24a〜24d）に設けられ、該吹出し開口（24a〜24d）から吹き出される空気の風向を上下方向に変更するための風向調節羽根（51）と、上記吸込み開口（23）から上記室内ケーシング（20）内に吸い込まれる空気の吸込み温度を検知する温度検知部（81）と、上記室内空間（500）の負荷を検知する負荷検知部（91）と、暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）とを備え、上記暖房運転において上記室内空間（500）の負荷が上記所定値よりも高い場合とは、上記暖房運転における設定温度と上記吸込み温度との差が所定差よりも高い場合であることを特徴とする空気調和装置の室内ユニットである。
【０００７】
ここでは、暖房運転時の室内空間（500）の負荷が所定値よりも高い場合、室内空間（500）には、水平方向または水平よりも上方向に空気が供給される。これにより、比較的暖かい空気は、冷気が室内空間（500）内に進入し易い室内空間（500）の壁付近に到達する。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。また、暖房運転時の室内空間（500）の負荷は、上述のように簡単な方法によって判断される。
【０００８】
第２の発明は、第１の発明において、上記制御部（92）は、上記暖房運転において上記室内空間（500）の負荷が上記所定値よりも高い場合、上記吹出し開口（24a〜24d）から吹き出される空気の風速を、上記暖房運転において上記室内空間（500）の負荷が上記所定値よりも低い場合に比して高くすることを特徴とする空気調和装置の室内ユニットである。
【０００９】
これにより、比較的温かい空気は、壁付近に、より到達し易くなる。従って、壁付近から室内空間（500）への冷気の進入を、より確実に防ぐことができる。
【００１０】
第３の発明は、第２の発明において、上記室内ケーシング（20）には、上記吹出し開口（24a〜24d）が少なくとも１つ形成され、上記吹出し開口（24a〜24d）に対応して、空気の流れを阻害するための気流阻害機構（50）が設けられ、上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を制御することを特徴とする空気調和装置の室内ユニットである。
【００１１】
ここでは、暖房運転時の室内空間（500）の負荷が所定値よりも高い場合、吹出し開口（24a〜24d）の開口総面積が狭められることによって、空気の風速は高められる。
【００１２】
第４の発明は、第３の発明において、上記風向調節羽根（51）は、空気の流れを阻害する姿勢に変位可能に構成され、上記気流阻害機構（50）を兼ねていることを特徴とする空気調和装置の室内ユニットである。
【００１３】
これにより、風向調節羽根（51）とは別途気流阻害機構（50）を設けることなく、吹出し開口（24a〜24d）の開口総面積を狭めることによって空気の風速を高めることができる。
【００１４】
第５の発明は、第２の発明から第４の発明のいずれか１つにおいて、上記室内ケーシング（20）内部に設けられ、上記吹出し開口（24a〜24d）から吹き出される空気の流れを生成する室内ファン（31）、を更に備え、上記制御部（92）は、上記暖房運転において上記室内空間（500）の負荷が上記所定値よりも高い場合、上記室内ファン（31）の回転速度を、上記暖房運転において上記室内空間（500）の負荷が上記所定値よりも低い場合に比して高くすることを特徴とする空気調和装置の室内ユニットである。
【００１５】
これにより、空気の風速は簡単に高められる。
【００１６】
第６の発明は、室内空間（500）に空気を吹き出す空気調和装置の室内ユニットであって、吹出し開口（24a〜24d）が少なくとも１つ形成された室内ケーシング（20）と、上記吹出し開口（24a〜24d）に設けられ、該吹出し開口（24a〜24d）から吹き出される空気の風向を上下方向に変更するための風向調節羽根（51）と、上記室内空間（500）の負荷を検知する負荷検知部（91）と、暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）とを備え、上記風向調節羽根（51）は、上記吹出し開口（24a〜24d）に対応して空気の流れを阻害するための気流阻害機構（50）を兼ねており、空気の流れを阻害する阻害姿勢に変位可能に構成されており、上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を兼ねた上記風向調節羽根（51）を制御しつつ、上記吹出し開口（24a〜24d）から吹き出される空気の風速を、上記暖房運転において上記室内空間（500）の負荷が上記所定値よりも低い場合に比して高くし、上記風向調節羽根（51）が上記阻害姿勢を採る際、対応する上記吹出し開口（24a〜24d）の縁と該風向調節羽根（51）の縁との間には隙間が形成されることを特徴とする空気調和装置の室内ユニットである。
【００１７】
第７の発明は、室内空間（500）に空気を吹き出す空気調和装置の室内ユニットであって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、上記室内空間（500）の負荷を検知する負荷検知部（91）と、暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）とを備え、上記室内ユニットは、上記室内空間（500）に１台のみ設けられることを特徴とする空気調和装置の室内ユニットである。
【００１８】
第８の発明は、室内空間（500）に空気を吹き出す空気調和装置の室内ユニットであって、吹出し開口（24a〜24d）が形成された室内ケーシング（20）と、上記吹出し開口（24a〜24d）に設けられ、該吹出し開口（24a〜24d）から吹き出される空気の風向を上下方向に変更するための風向調節羽根（51）と、空気を水平方向または該水平方向よりも上方向に吹き出すための水平吹きモード、をユーザが選択するための操作を受け付け可能な受付部（201）と、暖房運転において、上記受付部（201）が上記水平吹きモードを受け付けた場合、上記吹出し開口（24a〜24d）から吹き出される空気の風向が水平状態または該水平状態よりも上吹きの状態となるように、上記風向調節羽根（51）を制御する制御部（92）とを備え、上記制御部（92）は、上記受付部（201）が上記水平吹きモードを受け付けた場合、上記吹出し開口（24a〜24d）から吹き出される空気の風速を、上記受付部（201）が上記水平吹きモードを受け付けない場合に比して高くすることを特徴とする空気調和装置の室内ユニットである。
【００１９】
ここでは、暖房運転において受付部（201）が水平吹きモードを受け付けた場合、室内空間（500）には、水平方向または水平よりも上方向に空気が供給される。即ち、水平吹きモードは、室内空間（500）がいわゆる高負荷状態であると在室者（ユーザ）自身が感じた場合に、在室者の操作により受け付けられるモードである。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。また、比較的温かい空気は、壁付近に、より到達し易くなる。従って、壁付近から室内空間（500）への冷気の進入を、より確実に防ぐことができる。
【発明の効果】
【００２０】
本発明によれば、壁付近から室内空間（500）への冷気の進入を防ぐことができる。それ故、室内空間（500）の中央部と周辺部（壁付近）における気温の差は縮小される。
【００２１】
また、上記第１の発明によれば、暖房運転時の室内空間（500）の負荷は、簡単な方法によって判断される。
【００２２】
また、上記第２の発明及び上記第８の発明によれば、壁付近から室内空間（500）への冷気の進入を、より確実に防ぐことができる。
【００２３】
また、上記第３の発明によれば、吹出し開口（24a〜24d）の開口総面積が狭められることによって、空気の風速は高められる。
【００２４】
また、上記第４の発明によれば、風向調節羽根（51）とは別途気流阻害機構（50）を設けることなく、吹出し開口（24a〜24d）の開口総面積を狭めることによって空気の風速を高めることができる。
【００２５】
また、上記第５の発明によれば、空気の風速は簡単に高められる。
【図面の簡単な説明】
【００２６】
【図１】図１は、実施形態１の室内ユニットを斜め下方から見た斜視図である。
【図２】図２は、ケーシング本体の天板を省略した室内ユニットの概略の平面図である。
【図３】図３は、図２のIII−Ｏ−III断面を示す室内ユニットの概略の断面図である。
【図４】図４は、室内ユニットの概略の下面図である。
【図５】図５は、実施形態１に係る室内制御部と当該室内制御部に接続された機器とを模式的に示すブロック図である。
【図６】図６は、水平吹き位置にある風向調節羽根を示す化粧パネルの要部の断面図である。
【図７】図７は、下吹き位置にある風向調節羽根を示す化粧パネルの要部の断面図である。
【図８】図８は、気流ブロック位置にある風向調節羽根を示す化粧パネルの要部の断面図である。
【図９】図９は、室内ユニットが行う気流ローテーションの１サイクルを示す説明図であって、各動作における室内ユニットの下面を模式的に示したものである。
【図１０】図１０は、室内ユニットが暖房運転時の気流ローテーションを行っている場合の室内の温度分布を示す室内空間の平面図である。
【図１１】図１１は、実施形態２に係る室内制御部と当該室内制御部に接続された機器とを模式的に示すブロック図である。
【発明を実施するための形態】
【００２７】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２８】
≪実施形態１≫
−室内ユニットの構成−
図１に示すように、本実施形態１の室内ユニット（10）は、いわゆる天井埋込型に構成されている。この室内ユニット（10）は、図外の室外ユニットと共に空気調和装置を構成する。空気調和装置では、室内ユニット（10）と室外ユニットを連絡配管で接続することによって、冷媒が循環して冷凍サイクルを行う冷媒回路が形成されている。
【００２９】
図１〜図５に示すように、室内ユニット（10）は、ケーシング（20）（室内ケーシングに相当）と、室内ファン（31）と、室内熱交換器（32）と、ドレンパン（33）と、ベルマウス（36）と、風向調節羽根（51）と、吸込温度センサ（81）（温度検知部に相当）と、室内制御部（90）とを備えている。
【００３０】
〈ケーシング〉
ケーシング（20）は、室内空間（500）の天井（501）に設置されている。ケーシング（20）は、ケーシング本体（21）と化粧パネル（22）とによって構成されている。このケーシング（20）には、室内ファン（31）と、室内熱交換器（32）と、ドレンパン（33）と、ベルマウス（36）とが収容されている。
【００３１】
ケーシング本体（21）は、室内空間（500）の天井（501）に形成された開口に挿入されて配置されている。ケーシング本体（21）は、下面が開口する概ね直方体状の箱形に形成されている。このケーシング本体（21）は、概ね平板状の天板（21a）と、天板（21a）の周縁部から下方に延びる側板（21b）とを有している。
【００３２】
〈室内ファン〉
図３に示すように、室内ファン（31）は、下方から吸い込んだ空気を径方向の外側に向けて吹き出す遠心送風機である。室内ファン（31）は、ケーシング本体（21）の内部中央に配置されている。室内ファン（31）は、室内ファンモータ（31a）によって駆動される。室内ファンモータ（31a）は、天板（21a）の中央部に固定されている。
【００３３】
〈ベルマウス〉
ベルマウス（36）は、室内ファン（31）の下方に配置されている。このベルマウス（36）は、ケーシング（20）へ流入した空気を室内ファン（31）へ案内するための部材である。ベルマウス（36）は、ドレンパン（33）と共に、ケーシング（20）の内部空間を、室内ファン（31）の吸い込み側に位置する一次空間（21c）と、室内ファン（31）の吹き出し側に位置する二次空間（21d）とに仕切っている。
【００３４】
〈室内熱交換器〉
室内熱交換器（32）は、いわゆるクロスフィン型のフィン・アンド・チューブ熱交換器である。図２に示すように、室内熱交換器（32）は、平面視でロ字状に形成され、室内ファン（31）の周囲を囲むように配置されている。つまり、室内熱交換器（32）は、二次空間（21d）に配置されている。室内熱交換器（32）は、その内側から外側へ向かって通過する空気を、冷媒回路の冷媒と熱交換させる。
【００３５】
〈ドレンパン〉
ドレンパン（33）は、いわゆる発泡スチロール製の部材である。図３に示すように、ドレンパン（33）は、ケーシング本体（21）の下端を塞ぐように配置されている。ドレンパン（33）の上面には、室内熱交換器（32）の下端に沿った水受溝（33b）が形成されている。水受溝（33b）には、室内熱交換器（32）の下端部が入り込んでいる。水受溝（33b）は、室内熱交換器（32）において生成したドレン水を受け止める。
【００３６】
図２に示すように、ドレンパン（33）には、主吹出し通路（34a〜34d）と副吹出し通路（35a〜35d）とが四つずつ形成されている。主吹出し通路（34a〜34d）及び副吹出し通路（35a〜35d）は、室内熱交換器（32）を通過した空気が流れる通路であって、ドレンパン（33）を上下方向に貫通している。主吹出し通路（34a〜34d）は、断面が細長い長方形状の貫通孔である。主吹出し通路（34a〜34d）は、ケーシング本体（21）の四つの辺のそれぞれに沿って一つずつ配置されている。副吹出し通路（35a〜35d）は、断面がやや湾曲した矩形状の貫通孔である。副吹出し通路（35a〜35d）は、ケーシング本体（21）の四つの角部のそれぞれに一つずつ配置されている。つまり、ドレンパン（33）では、その周縁に沿って、主吹出し通路（34a〜34d）と副吹出し通路（35a〜35d）とが交互に配置されている。
【００３７】
〈化粧パネル〉
化粧パネル（22）は、四角い厚板状に形成された樹脂製の部材である。化粧パネル（22）の下部は、ケーシング本体（21）の天板（21a）よりも一回り大きな正方形状に形成されている。この化粧パネル（22）は、ケーシング本体（21）の下面を覆うように配置されている。また、化粧パネル（22）の下面は、ケーシング（20）の下面を構成し、室内空間（500）に露出している。
【００３８】
図３及び図４に示すように、化粧パネル（22）の中央部には、正方形状の一つの吸込口（23）（吸込み開口に相当）が形成されている。吸込口（23）は、化粧パネル（22）を上下に貫通し、ケーシング（20）内部の一次空間（21c）に連通する。ケーシング（20）へ吸い込まれる空気は、吸込口（23）を通って一次空間（21c）へ流入する。吸込口（23）には、格子状の吸込グリル（41）が設けられている。また、吸込グリル（41）の上方には、吸込フィルタ（42）が配置されている。
【００３９】
化粧パネル（22）には、概ね四角い輪状の吹出口（26）が、吸込口（23）を囲むように形成されている。図４に示すように、吹出口（26）は、四つの主吹出し開口（24a〜24d）（吹出し開口に相当）と、四つの副吹出し開口（25a〜25d）とに区分されている。
【００４０】
主吹出し開口（24a〜24d）は、主吹出し通路（34a〜34d）の断面形状に対応した細長い開口である。主吹出し開口（24a〜24d）は、化粧パネル（22）の四つの辺のそれぞれに沿って一つずつ配置されている。
【００４１】
化粧パネル（22）の主吹出し開口（24a〜24d）は、ドレンパン（33）の主吹出し通路（34a〜34d）と一対一に対応している。各主吹出し開口（24a〜24d）は、対応する主吹出し通路（34a〜34d）と連通する。つまり、第１主吹出し開口（24a）は第１主吹出し通路（34a）と、第２主吹出し開口（24b）は第２主吹出し通路（34b）と、第３主吹出し開口（24c）は第３主吹出し通路（34c）と、第４主吹出し開口（24d）は第４主吹出し通路（34d）と、それぞれ連通する。
【００４２】
副吹出し開口（25a〜25d）は、１／４円弧状の開口である。副吹出し開口（25a〜25d）は、化粧パネル（22）の四つの角部のそれぞれに一つずつ配置されている。化粧パネル（22）の副吹出し開口（25a〜25d）は、ドレンパン（33）の副吹出し通路（35a〜35d）と一対一に対応している。各副吹出し開口（25a〜25d）は、対応する副吹出し通路（35a〜35d）と連通する。つまり、第１副吹出し開口（25a）は第１副吹出し通路（35a）と、第２副吹出し開口（25b）は第２副吹出し通路（35b）と、第３副吹出し開口（25c）は第３副吹出し通路（35c）と、第４副吹出し開口（25d）は第４副吹出し通路（35d）と、それぞれ連通する。
【００４３】
〈風向調節羽根〉
図４に示すように各主吹出し開口（24a〜24d）には、風向調節羽根（51）が設けられている。風向調節羽根（51）は、吹出し気流の方向（即ち、主吹出し開口（24a〜24d）から吹き出される空気の風向）を調節するための部材である。
【００４４】
風向調節羽根（51）は、吹出し気流の方向を上下方向に変更する。つまり、風向調節羽根（51）は、吹出し気流の方向と水平方向のなす角度が変化するように、吹出し気流の方向を変化させる。
【００４５】
風向調節羽根（51）は、化粧パネル（22）の主吹出し開口（24a〜24d）の長手方向の一端から他端に亘って延びる細長い板状に形成されている。図３に示すように、風向調節羽根（51）は、その長手方向に延びる中心軸（53）まわりに回動自在となるように、支持部材（52）に支持されている。風向調節羽根（51）は、その横断面（長手方向と直交する断面）の形状が揺動運動の中心軸（53）から遠ざかる方向に凸となるように湾曲している。
【００４６】
図４に示すように、各風向調節羽根（51）には、駆動モータ（54）が連結されている。風向調節羽根（51）は、駆動モータ（54）によって駆動され、中心軸（53）まわりに所定の角度範囲で回転移動する。また、詳しくは後述するが、風向調節羽根（51）は、主吹出し開口（24a〜24d）を通過する空気の流れを妨げる気流ブロック位置に変位可能となっており、主吹出し開口（24a〜24d）の吹出し気流を阻害する気流阻害機構（50）を兼ねている。
【００４７】
〈吸込温度センサ〉
図３に示すように、吸込温度センサ（81）は、吸込口（23）付近に設けられている。吸込温度センサ（81）は、吸込口（23）からケーシング本体（21）内に吸い込まれる空気の吸い込み温度をセンシングする。
【００４８】
〈室内制御部〉
室内制御部（90）は、メモリ及びＣＰＵによって構成されており、室内ユニット（10）の動作を制御する。図５に示すように、室内制御部（90）は、吸込温度センサ（81）と、各風向調節羽根（51）の駆動モータ（54）と、室内ファン（31）の室内ファンモータ（31a）と接続されている。室内制御部（90）は、メモリに格納されている各種プログラムをＣＰＵが読み出して実行することにより、負荷検知部（91）及びモータ制御部（92）（制御部に相当）として機能する。モータ制御部（92）には、各駆動モータ（54）を制御して各主吹出し開口（24a〜24d）から吹き出される空気の風向を制御する風向制御部（93）と、室内ファンモータ（31a）を制御する回転速度制御部（94）とが含まれる。
【００４９】
負荷検知部（91）は、吸込温度センサ（81）の検知結果である空気の吸込み温度を用いて、室内空間（500）の負荷を検知する。特に、負荷検知部（91）による室内空間（500）の負荷の検知動作は、暖房運転時に行われる。具体的に、負荷検知部（91）は、暖房運転時における室内空間（500）の設定温度と吸込温度センサ（81）の検知結果（吸込み温度）との差により、室内空間（500）の負荷を検知する。当該差が大きい程、暖房運転時における室内空間（500）の負荷は大きいと検知され、当該差が小さい程、暖房運転時における室内空間（500）の負荷は小さいと検知される。そこで、負荷検知部（91）は、当該差が所定差よりも高い場合には、室内空間（500）の負荷が所定値よりも高い高負荷状態であると検知する。逆に、負荷検知部（91）は、当該差が所定差よりも低い場合には、室内空間（500）の負荷が所定値よりも低い低負荷状態であると検知する。
【００５０】
なお、本実施形態１に言う暖房運転には、圧縮機（図示せず）及び室内ファン（31）の運転により、暖められた空気が室内空間（500）に供給される場合の他、室内ファン（31）は運転を継続しているものの圧縮機が一時的に停止する場合（即ちサーキュレーション運転）も含むものとする。
【００５１】
風向制御部（93）は、各駆動モータ（54）を作動させることによって各風向調節羽根（51）の位置を個別に制御する。風向制御部（93）の制御の詳細については、“−風向制御部の制御動作−”にて述べる。
【００５２】
回転速度制御部（94）は、室内ファンモータ（31a）の制御により、室内ファン（31）の回転速度を制御する。
【００５３】
−室内ユニット内における空気の流れ−
室内ユニット（10）の運転中には、室内ファン（31）が回転する。室内ファン（31）が回転すると、室内空間（500）の室内空気が、吸込口（23）を通ってケーシング（20）内の一次空間（21c）へ流入する。一次空間（21c）へ流入した空気は、室内ファン（31）に吸い込まれ、二次空間（21d）へ吹き出される。
【００５４】
二次空間（21d）へ流入した空気は、室内熱交換器（32）を通過する間に冷却され又は加熱され、その後に四つの主吹出し通路（34a〜34d）と四つの副吹出し通路（35a〜35d）へ分かれて流入する。主吹出し通路（34a〜34d）へ流入した空気は、主吹出し開口（24a〜24d）を通って室内空間（500）へ吹き出される。副吹出し通路（35a〜35d）へ流入した空気は、副吹出し開口（25a〜25d）を通って室内空間（500）へ吹き出される。
【００５５】
即ち、室内空間（500）の空気が吸込口（23）からケーシング本体（21）内に流入し、その後吹出口（26）を介して再び室内空間（500）へと吹き出される空気の流れは、室内ファン（31）によって生成される。
【００５６】
冷房運転中の室内ユニット（10）では、室内熱交換器（32）が蒸発器として機能し、空気が室内熱交換器（32）を通過する間に冷却される。一方、暖房運転中の室内ユニット（10）では、室内熱交換器（32）が凝縮器として機能し、空気が室内熱交換器（32）を通過する間に加熱される。
【００５７】
−風向調節羽根の動作−
上述したように、風向調節羽根（51）は、中心軸（53）まわりに回転移動することによって、吹出し気流の方向を変更する。風向調節羽根（51）は、図６に示す水平吹き位置と、図７に示す下吹き位置との間を移動可能となっている。また、風向調節羽根（51）は、図７に示す下吹き位置から更に回転移動することによって、図８に示す気流ブロック位置にも移動可能となっている。
【００５８】
風向調節羽根（51）の位置が図６に示す水平吹き位置になっている場合は、主吹出し通路（34a〜34d）を下向きに流れてきた空気の流れの方向が横方向に変更され、主吹出し開口（24a〜24d）の吹出し気流が水平吹き状態となる。この場合、主吹出し開口（24a〜24d）の吹出し気流の方向（即ち、主吹出し開口（24a〜24d）から吹き出される空気の風向）は、水平方向に対して例えば２５°程度に設定される。この場合、厳密に言えば吹出し気流の方向は水平方向よりも僅かに下向きとなるが、気流の方向は実質的に水平方向であると言って差し支えない。このように、吹出し気流が水平吹き状態となることで、主吹出し開口（24a〜24d）から吹き出される空気は、室内空間（500）の壁（502）に到達可能となる。
【００５９】
風向調節羽根（51）の位置が図７に示す下吹き位置になっている場合は、主吹出し通路（34a〜34d）を下向きに流れてきた空気の流れの方向が概ねそのまま維持され、主吹出し開口（24a〜24d）の吹出し気流が下吹き状態となる。この場合、吹出し気流の方向は、厳密に言えば、真下よりも吸込口（23）から離れる方向に若干傾いた斜め下方向となる。
【００６０】
風向調節羽根（51）の位置が図８に示す気流ブロック位置になっている場合は、主吹出し開口（24a〜24d）の大半が風向調節羽根（51）によって塞がれた状態になると共に、主吹出し通路（34a〜34d）を下向きに流れてきた空気の流れの方向が吸込口（23）側に変更される。この場合、主吹出し開口（24a〜24d）を通過する際の空気の圧力損失が大きくなるため、主吹出し開口（24a〜24d）を通過する空気の流量が少なくなる。また、空気は、主吹出し開口（24a〜24d）から吸込口（23）側へ向かって吹き出される。このため、主吹出し開口（24a〜24d）から吹き出された空気は、すぐに吸込口（23）へ吸い込まれることとなる。つまり、風向調節羽根（51）が気流ブロック位置となっている主吹出し開口（24a〜24d）からは、空気が室内空間（500）へ実質的に供給されない。
【００６１】
−風向制御部の制御動作−
〈暖房運転時の基本的な気流について〉
先ず、本実施形態１に係る風向制御部（93）の制御動作の本質について説明する。
【００６２】
暖房運転において、室内空間（500）の負荷が高負荷状態であると負荷検知部（91）が検知した場合、風向制御部（93）は、主吹出し開口（24a〜24d）から吹き出される空気の風向が水平状態となるように、風向調節羽根（51）を制御する（水平吹きモード）。
【００６３】
暖房運転は、例えば冬季のように外気温度が比較的低い場合に行われるが、暖房運転中に室内空間（500）の壁付近から冷気が室内空間（500）内部へと進入してくる場合がある。室内空間（500）が高負荷状態であれば、この現象は顕著に生じていることになる。これに対し、本実施形態１では、暖房運転時に室内空間（500）が高負荷状態であれば、主吹出し開口（24a〜24d）から吹き出される空気を、風向調節羽根（51）によって水平方向に導く。これにより、主吹出し開口（24a〜24d）から吹き出された比較的暖かい空気は、室内空間（500）の壁（502）に到達し、壁（502）に沿って下方へと流れる。従って、室内空間（500）の壁（502）は空気によって暖められ、室内空間（500）の壁（502）の温度は上昇する。壁（502）に到達した空気は、壁（502）から室内空間（500）に進入してくる冷気の流れを遮断する。従って、室内空間（500）の中央部と周辺部（壁付近）における気温の差は縮小される。
【００６４】
更に、本実施形態１では、暖房運転において室内空間（500）が高負荷状態であると判断した場合（即ち、水平吹きモード時）、主吹出し開口（24a〜24d）から吹き出される空気の風速を、暖房運転において室内空間（500）が低負荷状態である場合（通常吹きモード）よりも高くする制御も行われる。
【００６５】
空気の風速を高くする方法としては、以下の（Ｉ）〜（ＩＩＩ）が挙げられる。
（Ｉ）風向制御部（93）は、４つの風向調節羽根（51）のうち任意の風向調節羽根（51）を、図８で示した気流ブロック位置にする。
（ＩＩ）回転速度制御部（94）は、室内ファン（31）の回転速度を、室内空間（500）が低負荷状態である場合よりも高くする制御を行う。
（ＩＩＩ）風向制御部（93）は、任意の風向調節羽根（51）を図８の気流ブロック位置にさせ、且つ、回転速度制御部（94）は、室内ファン（31）の回転速度を、室内空間（500）が低負荷状態である場合よりも高くする。
【００６６】
上記（Ｉ）の方法では、例えば１つの主吹出し開口（24a）の風向調節羽根（51）を気流ブロック位置とし、残りの主吹出し開口（24b〜24d）の風向調節羽根（51）を水平吹き状態（水平吹き位置）に設定する。つまり、（Ｉ）の方法では、主吹出し開口（24a〜24d）の開口総面積が、暖房運転において室内空間（500）が低負荷状態である場合に比して小さくなると言える。この場合、主吹出し開口（24a）から室内空間（500）へは、空気の吹き出しが実質的になされない。しかし、残りの主吹出し開口（24b〜24d）から室内空間（500）には、全ての主吹出し開口（24a〜24d）から空気が吹き出される場合よりも風速の高い空気が、概ね水平方向に吹き出されることになる。
【００６７】
上記（ＩＩ）の方法では、室内ファン（31）の回転速度が高められる。そのため、水平吹き位置に設定されている主吹出し開口（24a〜24d）からは、風速が高められた空気が概ね水平方向に吹き出されることは、言うまでもない。
【００６８】
上記（ＩＩＩ）の方法は、（Ｉ）の方法及び（ＩＩ）の方法が共に採用された場合を表している。この場合、水平吹き位置を採る風向調節羽根（51）が設けられた主吹出し開口（24a〜24d）からは、上記（Ｉ）及び（ＩＩ）よりも風速が高められた空気が、水平方向に吹き出される。
【００６９】
上記（Ｉ）〜（ＩＩＩ）のいずれかの方法によって空気の風速が高められることにより、比較的暖かい空気は、室内空間（500）の壁付近に確実に到達する。従って、室内空間（500）の壁（502）は、風速が高められない場合（即ち、通常吹きモード）に比してより確実に暖められ、壁（502）から室内空間（500）に進入してくる冷気の流れは、より確実に遮断される。
【００７０】
なお、暖房運転において、室内空間（500）の負荷が低負荷状態である通常吹きモードの場合、以下の気流ローテーションにて述べる通常吹出し動作が行われても良い。また、通常吹きモードでは、風向調節羽根（51）が水平吹き位置を採ることで空気の風向が水平状態となるが、風速は水平吹きモードよりも低い制御が行われてもよい。
【００７１】
〈暖房運転時の気流の応用例：気流ローテーションについて〉
次に、上述した水平吹きモードを利用した応用例について述べる。
【００７２】
応用例では、室内ユニット（10）が後述する通常吹出し動作、第１吹出し動作、及び第２吹出し動作を実行できるように、風向制御部（93）は、風向調節羽根（51）の位置を制御する。更に、風向制御部（93）は、室内ユニット（10）が図９に示す気流ローテーションを行うように、各主吹出し開口（24a〜24d）に設けられた風向調節羽根（51）の位置を変更する制御を行う。図９では、気流ローテーションの一つのサイクルにおいて、一回目の通常吹出し動作、第１吹出し動作、二回目の通常吹出し動作、第２吹出し動作が順に行われる。つまり、気流ローテーションの一つのサイクルでは、二回の通常吹出し動作と、一回の第１吹出し動作と、一回の第２吹出し動作とが行われる。
【００７３】
なお、気流ローテーション中、室内ファン（31）の回転速度は実質的に一定に保たれているとする。また、気流ローテーション中、風速を高める方法として、上記（Ｉ）が採用された場合を例に取る。
【００７４】
なお、以下では、説明の便宜上、図１、図４及び図９に示すように、化粧パネル（22）の互いに対向する二つの辺に沿った第２主吹出し開口（24b）及び第４主吹出し開口（24d）を「第１開口（24X）」、残りの第１主吹出し開口（24a）及び第３主吹出し開口（24c）を「第２開口（24Y）」と言う。
【００７５】
暖房運転時の通常吹出し動作において、風向制御部（93）は、全ての主吹出し開口（24a〜24d）の風向調節羽根（51）を、下吹き位置に設定する。このため、暖房運転時の通常吹出し動作では、四つの主吹出し開口（24a〜24d）から空気が下向きに吹き出される。
【００７６】
暖房運転時の第１吹出し動作において、風向制御部（93）は、第１開口（24X）を構成する二つの主吹出し開口（24b,24d）の風向調節羽根（51）を水平吹き位置に設定し、第２開口（24Y）を構成する二つの主吹出し開口（24a,24c）の風向調節羽根（51）を気流ブロック位置に設定する。このため、空気は、第２主吹出し開口（24b）及び第４主吹出し開口（24d）から室内空間（500）へ吹き出され、第１主吹出し開口（24a）及び第３主吹出し開口（24c）からは室内空間（500）へ実質的に吹き出されない。また、第２主吹出し開口（24b）及び第４主吹出し開口（24d）の吹出し風速は、通常吹出し動作における吹出し風速よりも高くなる。つまり、第１吹出し動作では、第２主吹出し開口（24b）及び第４主吹出し開口（24d）から、空気が、通常吹出し動作中よりも高い流速で、実質的に水平方向へ向かって吹き出される。
【００７７】
暖房運転時の第２吹出し動作において、風向制御部（93）は、第２開口（24Y）を構成する二つの主吹出し開口（24a,24c）の風向調節羽根（51）を水平吹き位置に設定し、第１開口（24X）を構成する二つの主吹出し開口（24b,24d）の風向調節羽根（51）を気流ブロック位置に設定する。このため、空気は、第１主吹出し開口（24a）及び第３主吹出し開口（24c）から室内空間（500）へ吹き出され、第２主吹出し開口（24b）及び第４主吹出し開口（24d）からは室内空間（500）へ実質的に吹き出されない。また、第１主吹出し開口（24a）及び第３主吹出し開口（24c）の吹出し風速は、通常吹出し動作における吹出し風速よりも高くなる。つまり、第２吹出し動作では、二つの第１主吹出し開口（24a）及び第３主吹出し開口（24c）から、調和空気が、通常吹出し動作中よりも高い流速で、実質的に水平方向へ向かって吹き出される。
【００７８】
なお、通常吹出し動作、第１吹出し動作、及び第２吹出し動作の何れにおいても、副吹出し開口（25a〜25d）からは空気が吹き出される。
【００７９】
また、図９に示す暖房運転時の気流ローテーションの一つのサイクルでは、一回目の通常吹出し動作の継続時間、第１吹出し動作の継続時間、二回目の通常吹出し動作の継続時間、及び第２吹出し動作の継続時間のそれぞれが、互いに同じ時間（例えば、１２０秒）に設定される。
【００８０】
〈暖房運転時の室内空間の温度分布〉
暖房運転時の室内空間（500）の温度分布について、図１０を参照しながら説明する。
【００８１】
図１０は、室内ユニット（10）の暖房運転中における室内空間（500）の温度分布のシミュレーション結果を示している。図１０は、室内ユニット（10）が暖房運転を開始してから２０分後の、室内空間（500）の床面から６０ｃｍの位置における気温を示している。また、図１０では、ハッチングの密度が高い領域ほど気温が高い。
【００８２】
なお、シミュレーションの対象となる部屋は、床面が概ね正方形状であり、中央にパーティション（510）が設けられた細長い二つのデスク（511）が平行に配置されている。また、室内ユニット（10）は、室内空間（500）の天井の概ね中央に配置されている。
【００８３】
まず、室内空間（500）に従来の室内ユニット（610）が設置されている場合の、室内空間（500）の温度分布について、図１０の(ａ)を参照しながら説明する。
【００８４】
暖房運転時において、従来の室内ユニット（610）では、全ての主吹出し開口（24a〜24d）の風向調節羽根（51）が下吹き位置に設定される。そして、従来の室内ユニット（610）は、室内熱交換器（32）を通過する際に加熱された空気を、全ての主吹出し開口（24a〜24d）から実質的に床面に向かって吹き出す。
【００８５】
図１０の(ａ)に示すように、室内空間（500）では、室内ユニット（610）の下方に位置する中央部の領域において、気温が非常に高くなっている。これは、室内ユニット（610）から下向きに吹き出された暖かい調和空気が、二つのパーティション（510）に挟まれた室内空間（500）の中央部の領域に滞留するからだと推定される。
【００８６】
一方、室内空間（500）では、室内ユニット（610）から離れた周辺部の領域において、気温が充分に上昇していない。これは、室内ユニット（610）から下向きに吹き出された暖かい調和空気が、パーティション（510）よりも壁（502）側の領域に到達できないからだと推定される。
【００８７】
次に、室内空間（500）に本実施形態１の室内ユニット（10）が設置されており、上述した応用例である気流ローテーションが行われる場合の室内空間（500）の温度分布について、図１０の(ｂ)を参照しながら説明する。
【００８８】
通常吹出し動作では、室内ユニット（10）から下向きに吹き出された暖かい調和空気が、二つのパーティション（510）に挟まれた室内空間（500）の中央部の領域に供給される。このため、室内空間（500）では、室内ユニット（10）の下方に位置する中央部の領域において、気温が上昇する。ただし、通常吹出し動作が間欠的に行われるため、室内空間（500）の中央部の領域における気温が過度に上昇することは無い。
【００８９】
一方、第１吹出し動作および第２吹出し動作では、室内ユニット（10）から吹き出された暖かい調和空気が、概ね水平方向へ、通常吹出し動作中よりも高い流速で吹き出される。従って、第１吹出し動作および第２吹出し動作では、室内ユニット（10）から吹き出された暖かい調和空気が、パーティション（510）の上方を流れて室内空間（500）の壁（502）にまで到達する。このため、室内空間（500）では、室内ユニット（10）から離れた周辺部の領域においても、気温が上昇する。
【００９０】
また、第１吹出し動作および第２吹出し動作では、室内ユニット（10）から吹き出された暖かい調和空気が、室内空間（500）の壁（502）にまで到達し、壁（502）に沿って下方へと流れる。このため、室内空間（500）の壁（502）が調和空気によって暖められ、その結果、室内空間（500）の壁（502）の温度が上昇する。従って、室内空間（500）の周辺部の領域では、壁（502）が調和空気によって暖められることによっても、気温の低下が抑えられる。
【００９１】
このように、暖房運転時における上記気流ローテーションでは、従来の室内ユニット（610）が暖房運転を行う場合に比べて、室内空間（500）の中央部と周辺部における気温の差が大幅に縮小する。
【００９２】
〈冷房運転時の気流について〉
冷房運転では、風向制御部（93）は、例えば全ての主吹出し開口（24a〜24d）の風向調節羽根（51）を、水平吹き位置と下吹き位置との間で往復移動させる。これにより、主吹出し開口（24a〜24d）から吹き出される比較的冷たい空気の気流は、各風向調節羽根（51）の動作に応じて変動する。
【００９３】
−実施形態１の効果−
本実施形態１の室内ユニット（10）では、暖房運転時の室内空間（500）が高負荷状態である場合（水平吹きモード時）、室内空間（500）には、水平方向に空気が供給される。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断されるため、壁付近から室内空間（500）への冷気の進入を防ぐことができる。それ故、室内空間（500）の中央部と周辺部（壁付近）における気温の差は縮小される。
【００９４】
また、実施形態１では、暖房運転時における室内空間（500）の負荷は、設定温度と吸込み温度との差によって判断される。即ち、暖房運転時の室内空間（500）の負荷は、簡単な方法によって判断されると言える。
【００９５】
また、本実施形態１では、暖房運転において室内空間（500）が高負荷状態である場合（水平吹きモード時）、主吹出し開口（24a〜24d）から吹き出される空気の風速を、暖房運転において室内空間（500）が低負荷状態である場合に比して高くする制御が行われる。これにより、比較的温かい空気は、壁付近に、より到達し易くなる。従って、壁付近から室内空間（500）内への冷気の進入を、より確実に防ぐことができる。
【００９６】
空気の風速を高くする手法としては、上記（Ｉ）に示したように、主吹出し開口（24a〜24d）の開口総面積が狭められることが挙げられる。この手法では、簡単に空気の風速が高められることになる。
【００９７】
上記（Ｉ）の手法は、風向調節羽根（51）が、空気の流れを阻害する姿勢に変位可能に構成されることで実現することができる。これにより、空気の流れを阻害するための機構を風向調節羽根（51）とは別途設けることなく、主吹出し開口（24a〜24d）の開口総面積を狭めることによって空気の風速を高めることができる。
【００９８】
また、空気の風速を高くする手法としては、上記（ＩＩ）に示したように、室内ファン（31）の回転速度を高くすることが挙げられる。この手法でも、簡単に空気の風速が高められることになる。
【００９９】
また、空気の風速を高くする手法として、上記（ＩＩＩ）を採用することもできる。上記（ＩＩＩ）により、更に確実に空気の風速が高められる。
【０１００】
−実施形態１の変形例１−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転において室内空間（500）が高負荷状態である場合、主吹出し開口（24a〜24d）から吹き出される空気が、室内空間（500）の壁付近に到達するような風向を採れば良い。従って、天井設置タイプ及び壁掛けタイプでは、暖房運転において室内空間（500）が高負荷状態である場合、風向制御部（93）は、主吹出し開口（24a〜24d）から吹き出される空気を水平状態よりも上吹きの状態（例えば、風向調節羽根（51）が水平方向に対して上方向に２５°傾斜する状態）となるように、風向調節羽根（51）を制御してもよい。例えば、主吹出し開口（24a〜24d）から吹き出される空気を、コアンダ効果を利用して水平状態よりも上吹きの状態とすることが考えられる。
【０１０１】
−実施形態１の変形例２−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（90）に入力されてもよいし、当該距離を測定するためのセンサが予め室内ユニット（10）に取り付けられていても良い。
【０１０２】
−実施形態１の変形例３−
負荷検知部（91）は、室内空間（500）の負荷を検知する際、吸込温度センサ（81）の検知結果そのものを利用するのではなく、吸込温度センサ（81）の検知結果を補正した値を利用してもよい。これにより、負荷検知部（91）は、室内空間（500）の負荷を精度良く検知することができる。主吹出し開口（24a〜24d）や副吹出し開口（25a〜25d）から吹き出された空気が、室内空間（500）を循環せずに直ちに吸込口（23）からケーシング（20）内に吸い込まれる場合に有効である。
【０１０３】
−実施形態１の変形例４−
暖房運転時の室内空間（500）の負荷を検知する方法は、設定温度と吸込温度センサ（81）の検知結果とを利用した方法に限定されずとも良い。例えば、負荷検知部（91）は、暖房運転時の室内空間（500）の負荷を、吸込温度センサ（81）の検知結果と室内空間（500）の床温度との平均値を用いて検知してもよい。この場合、吸込温度センサ（81）の検知結果そのものではなく、補正後の吸込温度センサ（81）の検知結果が利用されても良い。
【０１０４】
更に、暖房運転時の室内空間（500）の負荷は、室内空間（500）の壁面負荷や床面負荷から判断されてもよい。
【０１０５】
更に、暖房運転時の室内空間（500）の負荷が検知されるタイミングとしては、所定時間間隔毎であってもよいし、室内空間（500）の利用者によってリモートコントローラを介して操作された時であってもよい。
【０１０６】
−実施形態１の変形例５−
暖房運転時の室内空間（500）の負荷の検知には、吸込温度センサ（81）に代えて、室内空間（500）に個別に設置された室内の温度検知用のセンサの検知結果、またはその補正結果が利用されてもよい。なお、個別に設置される室内の温度検知用のセンサの種類は、有線を用いた通信を行うもののみならず、無線通信を行うものであってもよい。
【０１０７】
−実施形態１の変形例６−
主吹出し開口（24a〜24d）の数は、４つに限定されず、例えば１つまたは２つであってもよい。
【０１０８】
−実施形態１の変形例７−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１０９】
−実施形態１の変形例８−
上述した暖房運転時における気流ローテーション（応用例）は、図９に限定されず、例えば通常吹出し動作と、第１吹出し動作と、第２吹出し動作とを順に繰り返し行うような動作であってもよい。
【０１１０】
−実施形態１の変形例９−
また、気流ローテーション（応用例）における第１吹出し動作および第２吹出し動作は、隣り合う二つの主吹出し開口（24a〜24d）から空気を室内空間（500）へ供給し、残りの隣り合う二つの主吹出し開口（24a〜24d）の風向調節羽根（51）を気流ブロック位置とする動作であってもよい。
【０１１１】
−実施形態１の変形例１０−
風速を高める制御は、必須ではない。また、風速を高める制御が行われる場合は、上記（Ｉ）〜（ＩＩＩ）以外の方法が採用されてもよい。
【０１１２】
従って、上記気流ローテーションにおいて、風速を高める方法として、上記（Ｉ）の方法に代えて上記（ＩＩ）または（ＩＩＩ）が採用されてもよいし、（Ｉ）〜（ＩＩＩ）以外の方法が採用されてもよい。
【０１１３】
−実施形態１の変形例１１−
気流ローテーションにおける各動作の継続時間は、互いに同じ時間（例えば、１２０秒）ではなく、異なっていても良い。
【０１１４】
−実施形態１の変形例１２−
風向を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１１５】
≪実施形態２≫
上記実施形態１では、室内空間（500）の負荷が負荷検知部（91）によって自動で検知され、その結果に応じて風向調節羽根（51）が水平吹き位置を採る場合について説明した。本実施形態２では、在室者によってリモートコントローラ（201）が操作された際に、風向調節羽根（51）が水平吹き位置を採る場合について説明する。
【０１１６】
−室内ユニットの構成−
本実施形態２に係る室内ユニット（10）は、上記実施形態１と同様、室内空間（500）に空気を吹き出すためのものである。本実施形態２に係る室内ユニット（10）は、ケーシング（20）（室内ケーシングに相当）と、室内ファン（31）と、室内熱交換器（32）と、ドレンパン（33）と、ベルマウス（36）と、風向調節羽根（51）と、室内制御部（90）と、リモートコントローラ（201）（受付部に相当）とを備えている。図１１に示すように、室内制御部（90）は、各風向調節羽根（51）の駆動モータ（54）と、室内ファン（31）の室内ファンモータ（31a）と、更にはリモートコントローラ（201）と接続されている。室内制御部（90）は、風向制御部（93）及び回転速度制御部（94）を有するモータ制御部（92）（制御部に相当）として機能する。
【０１１７】
即ち、本実施形態２に係る室内ユニット（10）は、図１１から明らかなように、上記実施形態１の吸込温度センサ（81）を備えていなくてもよく、室内制御部（90）は、上記実施形態１の負荷検知部（91）としては機能しない。
【０１１８】
なお、本実施形態２のケーシング（20）、室内ファン（31）、室内熱交換器（32）、ドレンパン（33）、ベルマウス（36）及び風向調節羽根（51）は、上記実施形態１にて説明したケーシング（20）、室内ファン（31）、室内熱交換器（32）、ドレンパン（33）、ベルマウス（36）及び風向調節羽根（51）と同様である。
【０１１９】
即ち、ケーシング（20）は、ケーシング本体（21）及び化粧パネル（22）によって構成され、複数の吹出し開口（24a〜24d,25a〜25d）及び１つの吸込口（23）が形成されている。室内ファン（31）は、室内空間（500）の空気を吸込口（23）からケーシング本体（21）内に流入させ、その後吹出し開口（24a〜24d,25a〜25d）を介して再び室内空間（500）へと吹き出す空気の流れを生成する。室内熱交換器（32）は、ケーシング（20）内部に吸い込まれた空気を、冷媒との間で熱交換させる。ドレンパン（33）は、室内熱交換器（32）において生成したドレン水を受け止める。ベルマウス（36）は、ケーシング（20）へ流入した空気を室内ファン（31）へ案内する。風向調節羽根（51）は、各主吹出し開口（24a〜24d）に対応して設けられ、該主吹出し開口（24a〜24d）から吹き出される空気の風向を上下方向に変更する。
【０１２０】
“−室内ユニット内における空気の流れ−”、“−風向調節羽根の動作−”は、上記実施形態１と同様のため、詳細な説明を省略する。
【０１２１】
〈リモートコントローラ〉
リモートコントローラ（201）は、室内空間（500）の壁（502）等に取り付けられており、室内制御部（90）と有線または無線によって通信可能に室内制御部（90）に接続されている。リモートコントローラ（201）は、在室者の操作を受け付ける。即ち、在室者は、リモートコントローラ（201）を介して、空気調和装置に関する各種設定や動作指示を行うことができる。リモートコントローラ（201）は、各種設定及び動作指示を受け付けると、これを室内制御部（90）に送信する。
【０１２２】
特に、本実施形態２の室内ユニット（10）は、空気をあえて水平方向に吹き出すための水平吹きモードを有している。図示してはいないが、リモートコントローラ（201）には、水平吹きモードを選択する外部からの操作を受け付けるための水平吹きモード選択ボタン、が備えられている。水平吹きモード選択ボタンが選択されると、リモートコントローラ（201）は、水平吹きモードが選択された旨を室内制御部（90）に送信する。
【０１２３】
在室者が水平吹きモード選択ボタンを選択する場合としては、在室者が、リモートコントローラ（201）を介して暖房運転の開始指示を行ったが、室内空間（500）の壁付近が中央部に比して温度が低いと感じる場合である。即ち、在室者が水平吹きモード選択ボタンを選択する場合とは、室内空間（500）がいわゆる高負荷状態であると在室者自身が感じた場合と言える。
【０１２４】
−風向制御部の制御動作−
〈暖房運転時の基本的な気流について〉
暖房運転において、水平吹きモードが選択された旨がリモートコントローラ（201）から送信されてきた場合、本実施形態２に係る風向制御部（93）は、主吹出し開口（24a〜24d）から吹き出される空気の風向が水平状態となるように、各風向調節羽根（51）を制御する。即ち、室内空間（500）がいわゆる高負荷状態であると在室者自身が感じた場合に、風向制御部（93）は、主吹出し開口（24a〜24d）から吹き出される空気の風向が水平状態となるように、風向調節羽根（51）を水平吹き位置に設定する。
【０１２５】
また、暖房運転において水平吹きモードが選択された旨がリモートコントローラ（201）から送信されてきた場合、モータ制御部（92）は、主吹出し開口（24a〜24d）から吹き出される空気の風速を、水平吹きモードの選択をリモートコントローラ（201）が受け付けない場合（水平吹きモードが選択されていない場合。即ち、通常吹きモード時）よりも高くする制御も行う。空気の風速を高くする方法としては、以下の（Ｉ）〜（ＩＩＩ）が挙げられる。
（Ｉ）風向制御部（93）は、４つの風向調節羽根（51）のうち任意の風向調節羽根（51）を、図８で示した気流ブロック位置にする。即ち、風向制御部（93）は、主吹出し開口（24a〜24d）の開口総面積を、水平吹きモードが選択されていない場合よりも小さくする。（ＩＩ）回転速度制御部（94）は、室内ファン（31）の回転速度を、水平吹きモードが選択されていない場合よりも高くする制御を行う。
（ＩＩＩ）風向制御部（93）は、任意の風向調節羽根（51）を気流ブロック位置にさせ、且つ、回転速度制御部（94）は、室内ファン（31）の回転速度を、水平吹きモードが選択されていない場合よりも高くする。
【０１２６】
上記（Ｉ）〜（ＩＩＩ）それぞれは、実施形態１にて説明した（Ｉ）〜（ＩＩＩ）に対応する。従って、上記（Ｉ）〜（ＩＩＩ）の詳細な説明は省略する。
【０１２７】
これにより、主吹出し開口（24a〜24d）から吹き出された比較的暖かい空気は、室内空間（500）の壁付近に確実に到達し、壁（502）に沿って下方へと流れる。従って、室内空間（500）の壁（502）は空気によって確実に暖められ、室内空間（500）の壁（502）の温度は上昇する。そして、壁（502）に到達した空気は、壁（502）から室内空間（500）に進入してくる冷気の流れを遮断する。従って、室内空間（500）の中央部と周辺部（壁付近）における気温の差は縮小される。
【０１２８】
なお、通常吹きモードでは、空気の風向は下方向であってもよい。また、通常吹きモードでは、空気の風向は水平方向であるが、風速は水平吹きモード時よりも低い制御が行われても良い。
【０１２９】
〈暖房運転時の気流の応用例〉
上述した本実施形態２に係る暖房運転時の気流の水平吹きモードにおける応用例としては、上記実施形態１にて説明した気流ローテーションが挙げられる。即ち、暖房運転において水平吹きモードが選択された場合、上記実施形態１にて説明した気流ローテーションが行われても良い。気流ローテーションに係る詳細の説明、及び、室内空間（500）の温度分布の説明については、省略する。
【０１３０】
また、“〈冷房運転時の気流について〉”も、上記実施形態１と同様であるため、説明を省略する。
【０１３１】
−実施形態２の効果−
本実施形態２の室内ユニット（10）では、暖房運転においてリモートコントローラ（201）が水平吹きモードを受け付けた場合、室内空間（500）には、水平方向に空気が供給される。水平吹きモードは、室内空間（500）がいわゆる高負荷状態であると在室者自身が感じた場合に、在室者によって選択されるモードである。これにより、比較的暖かい空気は、冷気が室内空間（500）内に進入し易い室内空間（500）の壁付近に到達することができる。従って、壁付近から室内空間（500）内への冷気の流れは、比較的温かい空気により遮断される。そのため、壁付近から室内空間（500）への冷気の進入を防ぐことができる。それ故、室内空間（500）の中央部と周辺部（壁付近）における気温の差は縮小される。
【０１３２】
また、本実施形態２では、暖房運転においてリモートコントローラ（201）が水平吹きモードを受け付けた場合、主吹出し開口（24a〜24d）から吹き出される空気の風速を、リモートコントローラ（201）が水平吹きモードを受け付けない場合（通常吹きモード時）に比して高くする制御が行われる。これにより、比較的温かい空気は、壁付近に、より到達し易くなる。従って、壁付近から室内空間（500）内への冷気の進入を、より確実に防ぐことができる。
【０１３３】
空気の風速を高くする方法としては、上記（Ｉ）に示したように、主吹出し開口（24a〜24d）の開口総面積が狭められることが挙げられる。この方法では、簡単に空気の風速が高められることになる。
【０１３４】
（Ｉ）の方法は、風向調節羽根（51）が、空気の流れを阻害する姿勢に変位可能に構成されることで実現することができる。これにより、空気の流れを阻害するための気流阻害機構（50）を風向調節羽根（51）とは別途設けることなく、主吹出し開口（24a〜24d）の開口総面積を狭めることによって空気の風速を高めることができる。
【０１３５】
また、空気の風速を高くする方法としては、上記（ＩＩ）に示したように、室内ファン（31）の回転速度を高くすることが挙げられる。この手法でも、簡単に空気の風速が高められることになる。
【０１３６】
また、空気の風速を高くする方法として、上記（ＩＩＩ）を採用することもできる。上記（ＩＩＩ）により、更に確実に空気の風速が高められる。
【０１３７】
−実施形態２の変形例１−
室内ユニット（10）は、天井埋め込みタイプに限定されない。室内ユニット（10）は、天井吊り下げタイプまたは壁掛けタイプであってもよい。室内ユニット（10）がどのようなタイプであっても、暖房運転において水平吹きモードが選択された場合、主吹出し開口（24a〜24d）から吹き出される空気が、室内空間（500）の壁付近に到達するような風向を採れば良い。従って、天井設置タイプ及び壁掛けタイプでは、暖房運転において水平吹きモードが選択された場合、風向制御部（93）は、主吹出し開口（24a〜24d）から吹き出される空気を水平状態よりも上吹きの状態（例えば、風向調節羽根（51）が水平方向に対して上方向に２５°傾斜する状態）となるように、風向調節羽根（51）を制御してもよい。例えば、主吹出し開口（24a〜24d）から吹き出される空気を、コアンダ効果を利用して水平状態よりも上吹きの状態とすることが考えられる。
【０１３８】
−実施形態２の変形例２−
水平吹き位置である風向調節羽根（51）の水平方向に対する角度は、主吹出し開口（24a〜24d）から吹き出される空気が室内空間（500）の壁付近に到達できる程度に、室内ユニット（10）の位置から室内空間（500）の壁面までの距離に応じて適宜微調整されていてもよい。室内ユニット（10）の位置から室内空間（500）の壁面までの距離は、室内ユニット（10）を室内空間（500）に据え付ける際に据付作業者によって測定され室内制御部（90）に入力されてもよいし、当該距離を測定するためのセンサが予め室内ユニット（10）に取り付けられていても良い。
【０１３９】
−実施形態２の変形例３−
主吹出し開口（24a〜24d）の数は、４つに限定されず、例えば１つまたは２つであってもよい。
【０１４０】
−実施形態２の変形例４−
室内ユニット（10）は、風向調節羽根（51）とは別途、主吹出し開口（24a〜24d）を塞ぐためのシャッタを、気流阻害機構として備えていてもよい。この場合、気流阻害機構は、主吹出し開口（24a〜24d）に対応して設けられることが好ましく、例えば開閉式のシャッタで構成されることができる。
【０１４１】
−実施形態２の変形例５−
風速を高める制御は、必須ではない。また、風速を高める制御が行われる場合は、上記（Ｉ）〜（ＩＩＩ）以外の方法が採用されてもよい。
【０１４２】
−実施形態２の変形例６−
室内ユニット（10）は、室内空間の負荷を自動で検知して水平吹き状態を採る実施形態１の態様と、在室者からの操作によって水平吹き状態を採る実施形態２の態様とを組合せた構成であってもよい。この場合、室内ユニット（10）は、室内空間（500）の負荷を自動検知して水平吹きモードを採る自動検知モードと、室内空間（500）の負荷を自動検知はせずに在室者からの操作によって水平吹きモードを採る手動モードとを備えていてもよい。
【０１４３】
この際、例えば在室者がリモートコントローラ（201）を介して自動検知モードと手動モードとを切り換えることができるように、室内ユニット（10）は構成されていることが好ましい。室内ユニット（10）は、自動検知モードが設定されている場合は実施形態１の態様を採り、手動モードが設定されている場合には実施形態２の態様を採ることができる。
【０１４４】
−実施形態２の変形例７−
風向を高める制御として上記（Ｉ）または（ＩＩＩ）が採用された場合、図８の気流ブロック位置を採ることに代えて、風向調節羽根（51）は、対応する主吹出し開口（24a〜24d）を完全に閉じてもよい。
【０１４５】
なお、気流ローテーションについての変形例は、上記実施形態１にて記載した変形例と同様である。
【産業上の利用可能性】
【０１４６】
以上説明したように、本発明は、室内空間に空気を吹き出す空気調和装置の室内ユニットについて有用である。
【符号の説明】
【０１４７】
10  室内ユニット
20  ケーシング（室内ケーシング）
24a〜24d  主吹出し開口（吹出し開口）
50  気流阻害機構
51  風向調節羽根
81  温度センサ（温度検知部）
91  負荷検知部
92  モータ制御部（制御部）
201  リモートコントローラ（受付部）
500  室内空間
【手続補正２】
【補正対象書類名】特許請求の範囲
【補正対象項目名】全文
【補正方法】変更
【補正の内容】
【特許請求の範囲】
【請求項１】
室内空間（500）に空気を吹き出す空気調和装置の室内ユニットであって、
吹出し開口（24a〜24d）と吸込み開口（23）とが形成された室内ケーシング（20）と、
上記吹出し開口（24a〜24d）に設けられ、該吹出し開口（24a〜24d）から吹き出される空気の風向を上下方向に変更するための風向調節羽根（51）と、
上記吸込み開口（23）から上記室内ケーシング（20）内に吸い込まれる空気の吸込み温度を検知する温度検知部（81）と、
上記室内空間（500）の負荷を検知する負荷検知部（91）と、
暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）と
を備え、
上記暖房運転において上記室内空間（500）の負荷が上記所定値よりも高い場合とは、上記暖房運転における設定温度と上記吸込み温度との差が所定差よりも高い場合である
ことを特徴とする空気調和装置の室内ユニット。
【請求項２】
請求項１において、
上記制御部（92）は、上記暖房運転において上記室内空間（500）の負荷が上記所定値よりも高い場合、上記吹出し開口（24a〜24d）から吹き出される空気の風速を、上記暖房運転において上記室内空間（500）の負荷が上記所定値よりも低い場合に比して高くする
ことを特徴とする空気調和装置の室内ユニット。
【請求項３】
請求項２において、
上記室内ケーシング（20）には、上記吹出し開口（24a〜24d）が少なくとも１つ形成され、
上記吹出し開口（24a〜24d）に対応して、空気の流れを阻害するための気流阻害機構（50）が設けられ、
上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を制御する
ことを特徴とする空気調和装置の室内ユニット。
【請求項４】
請求項３において、
上記風向調節羽根（51）は、空気の流れを阻害する姿勢に変位可能に構成され、上記気流阻害機構（50）を兼ねている
ことを特徴とする空気調和装置の室内ユニット。
【請求項５】
請求項２から４いずれか１つにおいて、
上記室内ケーシング（20）内部に設けられ、上記吹出し開口（24a〜24d）から吹き出される空気の流れを生成する室内ファン（31）、
を更に備え、
上記制御部（92）は、上記暖房運転において上記室内空間（500）の負荷が上記所定値よりも高い場合、上記室内ファン（31）の回転速度を、上記暖房運転において上記室内空間（500）の負荷が上記所定値よりも低い場合に比して高くする
ことを特徴とする空気調和装置の室内ユニット。
【請求項６】
室内空間（500）に空気を吹き出す空気調和装置の室内ユニットであって、
吹出し開口（24a〜24d）が少なくとも１つ形成された室内ケーシング（20）と、
上記吹出し開口（24a〜24d）に設けられ、該吹出し開口（24a〜24d）から吹き出される空気の風向を上下方向に変更するための風向調節羽根（51）と、
上記室内空間（500）の負荷を検知する負荷検知部（91）と、
暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）と
を備え、
上記風向調節羽根（51）は、上記吹出し開口（24a〜24d）に対応して空気の流れを阻害するための気流阻害機構（50）を兼ねており、空気の流れを阻害する阻害姿勢に変位可能に構成されており、
上記制御部（92）は、上記暖房運転において上記室内空間（500）の負荷が上記所定値よりも高い場合、少なくとも１つの上記吹出し開口（24a〜24d）の開口総面積が、上記暖房運転において上記室内空間（500）の負荷が上記所定値よりも低い場合に比して小さくなるように、上記気流阻害機構（50）を兼ねた上記風向調節羽根（51）を制御しつつ、上記吹出し開口（24a〜24d）から吹き出される空気の風速を、上記暖房運転において上記室内空間（500）の負荷が上記所定値よりも低い場合に比して高くし、
上記風向調節羽根（51）が上記阻害姿勢を採る際、対応する上記吹出し開口（24a〜24d）の縁と該風向調節羽根（51）の縁との間には隙間が形成される
ことを特徴とする空気調和装置の室内ユニット。
【請求項７】
室内空間（500）に空気を吹き出す空気調和装置の室内ユニットであって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
上記室内空間（500）の負荷を検知する負荷検知部（91）と、
暖房運転において、上記室内空間（500）の負荷が所定値よりも高い場合、上記吹出し開口（24a〜24d）から吹き出される空気の風向が水平状態または該水平状態よりも上吹きの状態となるように、上記風向調節羽根（51）を制御する制御部（92）と
を備え、
上記室内ユニットは、上記室内空間（500）に１台のみ設けられる
ことを特徴とする空気調和装置の室内ユニット。
【請求項８】
室内空間（500）に空気を吹き出す空気調和装置の室内ユニットであって、
吹出し開口（24a〜24d）が形成された室内ケーシング（20）と、
上記吹出し開口（24a〜24d）に設けられ、該吹出し開口（24a〜24d）から吹き出される空気の風向を上下方向に変更するための風向調節羽根（51）と、
空気を水平方向または該水平方向よりも上方向に吹き出すための水平吹きモード、をユーザが選択するための操作を受け付け可能な受付部（201）と、
暖房運転において、上記受付部（201）が上記水平吹きモードを受け付けた場合、上記吹出し開口（24a〜24d）から吹き出される空気の風向が水平状態または該水平状態よりも上吹きの状態となるように、上記風向調節羽根（51）を制御する制御部（92）と
を備え、
上記制御部（92）は、上記受付部（201）が上記水平吹きモードを受け付けた場合、上記吹出し開口（24a〜24d）から吹き出される空気の風速を、上記受付部（201）が上記水平吹きモードを受け付けない場合に比して高くする
ことを特徴とする空気調和装置の室内ユニット。